(57)【要約】本発明は、ユーザ装置ＵＥが、基地局により配置された、ＵＥのレート割当てを指示するための１グループ又は複数グループのレート割当てリソース指示情報と、前記１グループまたは複数グループのレート割当てリソース指示情報及びレート割当てリソース組み合わせ指示情報と、前記ＵＥがネットワークにアクセスする際に取得した当該ＵＥのサービスセルのレート割当てリソース指示情報との何れかを取得することと、前記ＵＥが前記基地局から送信された下り制御情報のサブフレームにおける下り認可指示情報に対応するＤＣＩ  Ｆｏｒｍａｔを確定することと、ＵＥは、ＤＣＩ  Ｆｏｒｍａｔと、予め設定された対応関係とにより、ＤＣＩ  Ｆｏｒｍａｔの対応するレート割当て用のレート割当てリソース情報を確定し、前記レート割当てリソース情報により下りデータに対してレート割当て操作を行うことを含む下りデータのレート割当て方法を提供する。本発明によると、レート割当ての正確性が高められている。【選択図】図１
2015527017.tif 000002
【特許請求の範囲】
【請求項１】
ユーザ装置ＵＥが、
基地局により配置された、ＵＥのレート割当てを指示するための１グループ又は複数グループのレート割当てリソース指示情報と、
前記１グループまたは複数グループのレート割当てリソース指示情報及び、前記１グループまたは複数グループのレート割当てリソース指示情報の組み合わせを指示するレート割当てリソースの組み合わせ指示情報と、
前記ＵＥがネットワークにアクセスする際に取得した当該ＵＥのサービスセルのレート割当てリソース指示情報と、の何れかを取得することと、
前記ＵＥが前記基地局から送信された下り制御情報のサブフレームにおける下り認可指示情報に対応する下り制御情報のフォーマットＤＣＩ  Ｆｏｒｍａｔを確定することと、
前記ＵＥが、前記１グループ又は複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、及び前記レート割当てリソース組み合わせ指示情報と前記ＤＣＩ  Ｆｏｒｍａｔとの対応関係を含む予め設定された対応関係と、前記ＤＣＩ  Ｆｏｒｍａｔとにより、前記ＤＣＩ  Ｆｏｒｍａｔの対応するレート割当て用のレート割当てリソース情報を確定し、前記レート割当てリソース情報により下りデータに対してレート割当て操作を行うことと、を含む下りデータのレート割当て方法。
【請求項２】
前記ＵＥが予め設定された対応関係と前記ＤＣＩ  Ｆｏｒｍａｔとにより、前記ＤＣ  Ｆｏｒｍａｔの対応する、レート割当て用の割当てリソース情報を確定することは、
前記下り認可制御情報の対応するＤＣＩ  ＦｏｒｍａｔがＤＣＩ  Ｆｏｒｍａｔ  １Ａである場合、前記ＵＥが、基地局により高層シグナリングを介し通知した第１グループのレート割当てリソース指示情報または最低インデックスのレート割当てリソース指示情報を、レート割当て用のリソース情報として確定することと、
前記下り認可制御情報の対応するＤＣＩ  Ｆｏｒｍａｔが前記ＤＣＩ  Ｆｏｒｍａｔ  １Ａである場合、前記ＵＥがネットワークにアクセスする際に取得した当該ＵＥのサービスセルのレート割当てリソース指示情報をレート割当て用のリソース情報として確定することと、
前記下り認可制御情報の対応するＤＣＩ  Ｆｏｒｍａｔが前記ＤＣＩ  Ｆｏｒｍａｔ  １Ａである場合、前記ＵＥが、前記基地局が前記ＤＣＩ  Ｆｏｒｍａｔ  １Ａのために、端末専用の高層シグナリングにより配置された１グループのレート割当てリソース指示情報を前記レート割当て用のリソース情報として確定することと、
前記下り認可制御情報の対応するＤＣＩ  Ｆｏｒｍａｔが前記ＤＣＩ  Ｆｏｒｍａｔ  １Ａである場合、前記ＵＥが、基地局が前記ＵＥ  ＤＣＩ  Ｆｏｒｍａｔ  １Ａのために、第１のプリセットリソース指示情報が端末専用の高層シグナリングに配置された２つのグループのレート割当てリソース指示情報のどちらを現在サブフレームのレート割当てのリソース情報にするかを指示することと、
前記下り認可制御情報の対応するＤＣＩ  Ｆｏｒｍａｔが前記ＤＣＩ  Ｆｏｒｍａｔ  １Ａである場合、前記ＵＥが、プリセットしたステータスの対応する、コンテンツが前記高層シグナリングにより前記ＵＥに通知される第２のプリセットリソース指示情報を前記レート割当て用のリソース情報として確定することと、
前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、またはＤＣＩ  Ｆｏｒｍａｔ  ２Ｄである場合、前記ＵＥが、前記基地局が前記高層シグナリングを介して指示された前記複数グループのレート割当てリソース指示情報における、下り認可制御情報におけるプリセットビットにより指示される第３のプリセットリソース指示情報を前記レート割当て用のリソース情報として確定することとの何れかを含む請求項１に記載の方法。
【請求項３】
前記第１のプリセットリソース指示情報は、マルチキャストブロードキャスト単一周波数ネットワークＭＢＳＦＮサブフレームのＤＣＩ  Ｆｏｒｍａｔ  １Ａにおける集中式リソースブロック／分散式リソースブロックＬＶＲＢ／ＤＶＲＢの割当てビットにより指示される請求項２に記載の方法。
【請求項４】
前記プリセット状態は１つのプリセット状態である場合、プリセット状態の対応するレート割当てリソース指示情報を前記レート割当て用のリソース情報とし、
前記プリセット状態は２つのプリセット状態である場合、ＭＢＳＦＮサブフレームの中のＤＣＩ  Ｆｏｒｍａｔ  １ＡにおけるＬＶＲＢ／ＤＶＲＢ割当てビットにより、前記ＵＥが前記２つのプリセット状態の中のいずれのプリセット状態の対応するレート割当てリソース指示情報を前記レート割当て用のリソース情報とするかを指示する請求項２に記載の方法。
【請求項５】
前記プリセットステータスにより、前記第２のプリセットリソース指示情報の対応する、１グループまたは複数グループのレート割当てリソース指示情報対応リソースを含むレート割当てリソース組み合わせ情報、またはレート割当てリソース指示情報を指示する請求項２に記載の方法。
【請求項６】
前記プリセットビットにより、前記第３のプリセットリソース指示情報の対応する、１グループ又は複数グループのレート割当てリソース指示情報対応リソースを含むレート割当てリソース組合せ情報、またはレート割当てリソース指示情報を指示する請求項２に記載の方法。
【請求項７】
前記プリセットステータスが１ビット０ステータスである場合、対応する前記第２のプリセットリソース指示情報がレート割当てリソース組合せステータス０である、または、
前記プリセットステータスが２ビット００ステータスである場合、対応する前記第２のプリセットリソース指示情報がレート割当てリソース組合せステータス０である、または、
前記プリセットステータスが１ビット０ステータスである場合、対応する前記第２のプリセットリソース指示情報が第１グループのレート割当てリソースである、または、
前記プリセットステータスが２ビット００ステータスである場合、対応する前記第２のプリセットリソース指示情報が第１グループのレート割当てリソースである請求項５に記載の方法。
【請求項８】
前記プリセットビットが０である場合、前記第３のプリセットリソース指示情報がレート割当てリソース組合せステータス０であることを指示し、前記プリセットが１である場合、前記第３のプリセットリソース指示情報がレート割当てリソース組合せステータス１であることを指示する、または、
前記プリセットビットが００である場合、前記第３のプリセットリソース指示情報がレート割当てリソース組合せステータス０であることを指示し、前記プリセットが０１である場合、前記第３のプリセットリソース指示情報がレート割当てリソース組合せステータス１であることを指示する、または前記プリセットビットが１０である場合、前記第３のプリセットリソース指示情報がレート割当てリソース組合せステータス２であることを指示し、前記プリセットが１１である場合、前記第３のプリセットリソース指示情報がレート割当てリソース組合せステータス３であることを指示する、または、
前記プリセットビットが０である場合、前記第３のプリセットリソース指示情報が第１グループのレート割当てリソースであることを指示し、前記プリセットが１である場合、前記第３のプリセットリソース指示情報が第２グループのレート割当てリソースであることを指示する、または、
前記プリセットビットが００である場合、前記第３のプリセットリソース指示情報が第１グループのレート割当てリソースであることを指示し、前記プリセットが０１である場合、前記第３のプリセットリソース指示情報が第２グループのレート割当てリソースであることを指示する、
前記プリセットビットが１０である場合、前記第３のプリセットリソース指示情報が第３グループのレート割当てリソースであることを指示し、前記プリセットが１１である場合、前記第３のプリセットリソース指示情報が第３グループまたは第４グループのレート割当てリソースである請求項５に記載の方法。
【請求項９】
前記プリセットビットが前記下り認可制御情報における新規追加したビットまたは前記下り認可制御情報におけるＮｓｃｉｄビットである請求項２〜８の何れかに記載の方法。
【請求項１０】
前記１グループのレート割当てリソース指示情報または前記複数グループのレート割当てリソース指示情報における１グループ毎のレート割当てリソース指示情報には、
レート割当てまたは干渉除去すべきリソース要素の位置情報、物理下り共有チャネルＰＤＳＣＨの初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置情報、セルアイデンティティ、ゼロパワーＣＳＩ−ＲＳ配置情報、非ゼロパワーＣＳＩ−ＲＳ配置情報の少なくとも一つを含み、非ゼロパワーＣＳＩ−ＲＳ配置情報には、少なくともＣＳＩ−ＲＳのポート数、ＣＳＩ−ＲＳの周期及びサブフレームオフセット情報、ＣＳＩ−ＲＳのシーケンスアイデンティティ情報、及びＣＳＩ−ＲＳリソース要素位置情報を含み、ゼロパワーＣＳＩ−ＲＳ配置情報には、少なくとも、ゼロパワーＣＳＩ−ＲＳのリソース要素位置情報及びゼロパワーＣＳＩ−ＲＳの周期とサブフレームオフセット情報を含む請求項１〜８の何れか一項に記載の方法。
【請求項１１】
前記ＣＲＳポート数の配置は、０、１、２、４ポート配置を含む請求項１０に記載の方法。
【請求項１２】
前記ＣＲＳのリソース位置情報は、ＣＲＳ周波数領域リソース位置情報を含み、１ポート配置時の位置インデックスは０、１、２、３、４、５であり、それぞれＣＲＳの周波数シフトが０〜５であることを指示し、３ビットのシグナリングで指示され、２ポートと４ポートの位置インデックスが０、１、２であり、それぞれＣＲＳの周波数シフトが０〜２であることを指示し、２ビットのシグナリングで指示される請求項１０に記載の方法。
【請求項１３】
前記ＣＲＳのリソース位置情報は、ＣＲＳ周波数領域リソース位置情報を含み、１ポート配置時の位置インデックスは０、１、２、３、４、５であり、それぞれＣＲＳの周波数シフトが０〜５であることを指示し、３ビットのシグナリングで指示され、２ポートと４ポートの位置インデックスが０、１、２であり、それぞれＣＲＳの周波数シフトが０〜２であることを指示し、３ビットのシグナリングで指示される請求項１０に記載の方法。
【請求項１４】
前記ＣＲＳのポート情報と周波数領域リソース位置情報は９ビットマップｂｉｔｍａｐのシグナリングにより指示される請求項１０に記載の方法。
【請求項１５】
前記ＣＲＳのリソース位置情報は、対応するセルアイデンティティＩＤを配置することで対応するＣＲＳのリソース位置情報を取得する請求項１０に記載の方法。
【請求項１６】
前記レート割当てリソース組合せ指示情報は、前記基地局により配置され、高層シグナリングにより前記ＵＥに対して複数のレート割当てリソース組合せを通知して、前記各レート割当てリソース組合せ指示情報の中のそれぞれのレート割当てリソース組合せに含まれるレート割当てリソース組合せ指示情報を指示する請求項１〜８の何れか一項に記載の方法。
【請求項１７】
基地局が、ユーザ装置ＵＥのレート割当てを指示する１グループまたは複数グループのレート割当てリソース指示情報、又は前記１グループまたは複数グループのレート割当てリソース指示情報の組合せを指示するレート割当てリソース組合せ指示情報を確定することと、
前記基地局が前記１グループまたは複数グループの指示情報、または１グループまたは複数グループのレート割当てリソース指示情報とレート割当てリソース組合せ指示情報を、前記ＵＥに送信し、前記ＵＥを、当該基地局の送信した下り制御情報サブフレームにおける下り認可指示情報の対応する下り制御情報フォーマットＤＣＩ  Ｆｏｒｍａｔと、前記１グループまたは複数グループのレート割当てリソース指示情報と前記ＤＣＩ  Ｆｏｒｍａｔとの対応関係、サービスセルのレート割当てリソース指示情報と前記ＤＣＩ  Ｆｏｒｍａｔとの対応関係、前記レート割当てリソース指示情報と前記ＤＣＩ  Ｆｏｒｍａｔとの対応関係の何れかを含むプリセットされた対応関係により、現在サブフレームの前記ＤＣＩ  Ｆｏｒｍａｔの対応する、レート割当て用のレート割当てリソース情報を確定し、前記レート割当てリソース情報により下りデータに対してレート割当て操作を行うようにトリガーすることと、を含む下りデータのレート割当て方法。
【請求項１８】
前記下り認可制御情報の対応するＤＣＩ  ＦｏｒｍａｔがＤＣＩ  Ｆｏｒｍａｔ  １Ａである場合、基地局が高層シグナリングを介し通知した第１グループのリソース指示情報または最低インデックスの対応するリソース指示情報を、前記レート割当て用のリソース情報とすることと、
前記下り認可制御情報の対応するＤＣＩ  Ｆｏｒｍａｔが前記ＤＣＩ  Ｆｏｒｍａｔ  １Ａである場合、ネットワークにアクセスする際に取得した当該ＵＥのサービスセルのレート割当てリソース指示情報を、前記レート割当て用のリソース情報とすることと、
前記下り認可制御情報の対応するＤＣＩ  ＦｏｒｍａｔがＤＣＩ  Ｆｏｒｍａｔ  １Ａである場合、前記基地局が、前記ＵＥ  ＤＣＩ  Ｆｏｒｍａｔ  １Ａのために端末専用高層シグナリングにより配置された１グループのレート割当てリソース指示情報を前記レート割当て用のリソース情報とすることと、
前記下り認可制御情報の対応するＤＣＩ  Ｆｏｒｍａｔが前記ＤＣＩ  Ｆｏｒｍａｔ  １Ａである場合、前記基地局が前記ＵＥ  ＤＣＩ  Ｆｏｒｍａｔ  １Ａのために、第１のプリセットリソース指示情報を介し端末に２つのグループのリソース指示情報の何れを前記レート割当て用のリソース情報とするかを指示することと、
前記下り認可制御情報の対応するＤＣＩ  Ｆｏｒｍａｔが前記ＤＣＩ  Ｆｏｒｍａｔ  １Ａである場合、プリセットステータスの対応する、高層シグナリングによりＵＥに内容が通知される第２のプリセットリソース指示情報を、前記レート割当て用のリソース情報とすることと、
前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、前記基地局が前記高層シグナリングにより指示された複数グループの指示情報における、前記下り認可制御情報の中のプリセットビットにより指示される第３のプリセットリソース指示情報を、前記レート割当て用のリソース情報とする請求項１７に記載の方法。
【請求項１９】
前記第１のプリセットリソース指示情報は、マルチキャストブロードキャスト単一周波数ネットワークＭＢＳＦＮサブフレームのＤＣＩ  Ｆｏｒｍａｔ  １ＡにおけるＬＶＲＢ／ＤＶＲＢの割当てビットにより指示される請求項１８に記載の方法。
【請求項２０】
前記プリセットステータスは１つのプリセットステータスである場合、前記プリセットステータスの対応するレート割当てリソース指示情報を前記レート割当て用のリソース情報とし、
前記プリセットステータスは２つのプリセットステータスである場合、ＭＢＳＦＮサブフレームの中のＤＣＩ  Ｆｏｒｍａｔ  １ＡにおけるＬＶＲＢ／ＤＶＲＢ割当てビットにより、前記ＵＥが前記２つのプリセットステータスの中のいずれのプリセットステータスの対応するレート割当てリソース指示情報を前記レート割当て用のリソース情報とするかを指示する請求項１８に記載の方法。
【請求項２１】
前記プリセットビットが前記下り認可制御情報における新規追加したビットまたは前記下り認可制御情報におけるＮｓｃｉｄビットである請求項１８〜２０の何れかに記載の方法。
【請求項２２】
ユーザ装置に適用される下りデータのレート割当て装置であって、
基地局に配置された、ＵＥのレート割当てを指示するための１グループ又は複数グループのレート割当てリソース指示情報と、
前記１グループ又は複数グループのレート割当てリソース指示情報、及び前記１グループまたは複数グループのレート割当てリソース指示情報の組み合わせを指示するレート割当てリソースの組み合わせ指示情報と、
前記ＵＥがネットワークにアクセスする際に取得した当該ＵＥのサービスセルのレート割当てリソース指示情報との何れかの情報を取得する取得モジュールと、
前記基地局から送信された下り制御情報のサブフレームにおける下り認可指示情報に対応する下り制御情報のフォーマットＤＣＩ  Ｆｏｒｍａｔを確定する第１の確定モジュールと、
前記ＤＣＩ  Ｆｏｒｍａｔと、前記１グループ又は複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、及び前記レート割当てリソース組み合わせ指示情報と前記ＤＣＩ  Ｆｏｒｍａｔとの対応関係を含む予め設定された対応関係とにより、前記ＤＣＩ  Ｆｏｒｍａｔの対応するレート割当て用のレート割当てリソース情報を確定する第２の確定モジュールと、
前記レート割当てリソース情報により下りデータに対してレート割当て操作を行う処理モジュールと、を含む下りデータのレート割当て装置。
【請求項２３】
前記第２の確定モジュールは、
前記下り認可制御情報の対応するＤＣＩ  ＦｏｒｍａｔがＤＣＩ  Ｆｏｒｍａｔ  １Ａである場合、基地局が高層シグナリングにより通知された第１グループのレート割当てリソース指示情報、または最低インデックスのレート割当てリソース指示情報を前記レート割当て用のリソース情報とすることを確定する第３の確定モジュール、または
前記下り認可制御情報の対応するＤＣＩ  Ｆｏｒｍａｔが前記ＤＣＩ  Ｆｏｒｍａｔ  １Ａである場合、前記ＵＥがネットワークにアクセスする際に取得した当該ＵＥのサービスセルのレート割当てリソース指示情報を前記レート割当て用のリソース情報とすることを確定する第４のモジュール、または
前記下り認可制御情報の対応するＤＣＩ  Ｆｏｒｍａｔが前記ＤＣＩ  Ｆｏｒｍａｔ  １Ａである場合、基地局が前記ＵＥ  ＤＣＩ  Ｆｏｒｍａｔ  １Ａに端末専用の高層シグナリングにより配置された１グループのレート割当てリソース指示情報をレート割当て用のリソース情報とすることを確定する第５の確定モジュール、または、
前記下り認可制御情報の対応するＤＣＩ  Ｆｏｒｍａｔが前記ＤＣＩ  Ｆｏｒｍａｔ  １Ａである場合、前記基地局が前記ＤＣＩ  Ｆｏｒｍａｔ  １Ａに第１のプリセットリソース指示情報により端末専用の高層シグナリングにより配置された２つのグループのレート割当てリソース指示情報のどちらをレート割当て用のリソース情報にするかを指示する第６の確定モジュール、または、
前記下り認可制御情報の対応するＤＣＩ  Ｆｏｒｍａｔが前記ＤＣＩ  Ｆｏｒｍａｔ  １Ａである場合、前記基地局がプリセットしたステータスの対応する、コンテンツが前記高層シグナリングにより前記ＵＥに通知される第２のプリセットリソース指示情報を前記レート割当て用のリソース情報とすることを確定する第７の確定モジュール、
前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、またはＤＣＩ  Ｆｏｒｍａｔ  ２Ｄである場合、前記基地局が前記高層シグナリングにより指示された前記複数グループのレート割当てリソース指示情報における、前記下り認可制御情報におけるプリセットビットにより指示される第３のプリセットリソース指示情報を前記レート割当て用のリソース情報とすることを確定する第８モジュールとの何れかを含む請求項２２に記載の装置。
【請求項２４】
基地局に適用される下りデータのレート割当て装置であって、
ユーザ装置ＵＥのレート割当てを指示するための１グループ又は複数グループのレート割当てリソース指示情報または前記１グループまたは複数グループのレート割当てリソース指示情報の組み合わせを指示するレート割当てリソースの組み合わせ指示情報を確定する第９の確定モジュールと、
前記１グループまたは複数グループのリソース指示情報、または前記１グループまたは複数グループのレート割当てリソース指示情報とレート割当てリソース組合せ指示情報を前記ＵＥに送信し、前記ＵＥを、当該基地局から送信された下り制御情報のサブフレームにおける下り認可制御情報の対応する下り制御情報のフォーマットＤＣＩ  Ｆｏｒｍａｔと、前記１グループ又は複数グループのレート割当てリソース指示情報と前記ＤＣＩ  Ｆｏｒｍａｔとの対応関係、サービスセルのレート割当てリソース指示情報と前記ＤＣＩ  Ｆｏｒｍａｔとの対応関係、及び前記レート割当てリソース組み合わせ指示情報と前記ＤＣＩ  Ｆｏｒｍａｔとの対応関係を含む予め設定された対応関係とにより、前記ＤＣＩ  Ｆｏｒｍａｔの対応するレート割当て用のレート割当てリソース情報を確定し、前記レート割当てリソース情報により下りデータに対してレート割当て操作を行うようにトリガーする送信モジュールと、を含む下りデータのレート割当て装置。
【請求項２５】
プリセットされた対応関係は、
前記下り認可制御情報の対応するＤＣＩ  ＦｏｒｍａｔがＤＣＩ  Ｆｏｒｍａｔ  １Ａである場合、基地局が高層シグナリングを介し通知した第１グループのリソース指示情報または最低インデックスの対応するリソース指示情報を、前記レート割当て用のリソース情報とすることと、
前記下り認可制御情報の対応するＤＣＩ  Ｆｏｒｍａｔが前記ＤＣＩ  Ｆｏｒｍａｔ  １Ａである場合、ネットワークにアクセスする際に取得したサービスセルのレート割当てリソース指示情報を、前記レート割当て用のリソース情報とすることと、
前記下り認可制御情報の対応するＤＣＩ  ＦｏｒｍａｔがＤＣＩ  Ｆｏｒｍａｔ  １Ａである場合、前記基地局が、前記ＵＥ  ＤＣＩ  Ｆｏｒｍａｔ  １Ａのために端末専用高層シグナリングにより配置された１グループのリソース指示情報を前記レート割当て用のリソース情報とすることと、
前記下り認可制御情報の対応するＤＣＩ  Ｆｏｒｍａｔが前記ＤＣＩ  Ｆｏｒｍａｔ  １Ａである場合、前記基地局が前記ＵＥ  ＤＣＩ  Ｆｏｒｍａｔ  １Ａのために第１プリセットリソース指示情報を介し端末に２つのグループのリソース指示情報の何れを前記レート割当て用のリソース情報とするかを指示することと、
前記下り認可制御情報の対応するＤＣＩ  Ｆｏｒｍａｔが前記ＤＣＩ  Ｆｏｒｍａｔ  １Ａである場合、プリセットステータスの対応する、高層シグナリングによりＵＥにコンテンツが通知される第２のプリセットリソース指示情報を、前記レート割当て用のリソース情報とすることと、
前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、前記基地局が前記高層シグナリングにより指示された複数グループの指示情報における、前記下り認可制御情報の中のプリセットビットにより指示される第３のプリセットリソース指示情報を、前記レート割当て用のリソース情報とする請求項２４に記載の装置。
【発明の詳細な説明】
【技術分野】
【０００１】
本発明は、通信分野に関し、具体的には、下りデータのレート割当て方法及び装置に関するものである。
【背景技術】
【０００２】
ロングタームエボリューション（Ｌｏｎｇ  Ｔｅｒｍ  Ｅｖｏｌｕｔｉｏｎ、ＬＴＥと略称）システムは、第３世代パートナーシップ（３ｒｄ  Ｇｅｎｅｒａｔｉｏｎ  Ｐａｒｔｎｅｒｓｈｉｐ  Ｐｒｏｊｅｃｔ、３ＧＰＰと略称）のＲ８／９／１０バージョンを経て、Ｒ１１バージョン技術を相次いで正確に研究されている。現在一部のＲ８バージョンの製品が次第にビジネス化され、Ｒ９バージョンとＲ１０バージョンは製品のさらなる企画が期待されている。
【０００３】
Ｒ８バージョンとＲ９バージョンを経歴してから、Ｒ１０バージョンは、両者に基づいて、さらに新しい特性が追加されている。例えば、復調用リファレンス信号（Ｄｅｍｏｄｕｌａｔｉｏｎ  Ｒｅｆｅｒｅｎｃｅ  Ｓｉｇｎａｌ、ＤＭＲＳと略称）、チャネルステータス情報リファレンス信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）などのパイロット特性や、８アンテナサポートなどの伝送及びフィードバック特性などがある。特に強化されたセル間干渉除去（Ｅｎｈａｎｃｅｄ  Ｉｎｔｅｒ−Ｃｅｌｌ  Ｉｎｔｅｒｆｅｒｅｎｃｅ  Ｃａｎｃｅｌｌｉｎｇ、ｅＩＣＩＣと略称）技術は、Ｒ８／９バージョンにおけるＩＣＩＣを考慮した上に、さらにセル間の干渉除去技術が考えられている。セル間の干渉という課題を解決する技術にとって、Ｒ１０バージョンの段階の初期は、同型ネットワーク間の干渉問題が主として考慮され、その主流的な技術としてｅＩＣＩＣ技術とマルチポイント協力（Ｃｏｏｒｄｉｎａｔｅｄ  Ｍｕｌｔｉ−ｐｏｉｎｔ、ＣｏＭＰと略称）技術が考えられる。ＣｏＭＰ技術とは、複数のノードが協力して一つの又は複数のＵＥに対して、同じ時間周波数リソースまたは、異なる時間周波数リソースにてデータを送信することである。従って、ＣｏＭＰはセル間の干渉を減少し、セルエッジのスループットを高め、セルのカバレッジを拡大することができる。しかし、検討の後期に、異種ネットワークによりより多くの場面が導入されることを考えて、ＣｏＭＰの複雑性、及びＲ１０バージョンの検討時間の制限ということにより、Ｒ１０バージョンの段階では、余計のＣｏＭＰ標準化のコンテンツを導入せず、ＣＳＩ−ＲＳを設定するとき、ＣｏＭＰの一部のニーズを考慮することにした。よって、ＣｏＭＰ技術は６０ｂｉｓ会議の後、さらなる検討がない。
【０００４】
ＬＴＥにより、物理下り制御チャネル（Ｐｈｙｓｉｃａｌ  ｄｏｗｎｌｉｎｋ  ｃｏｎｔｒｏｌ、ｃｈａｎｎｅｌ、ＰＤＣＣＨと略称）にスケジューリング割当てや他の制御情報が積載され、各ＰＤＣＣＨは若干の制御チャネルエレメント（Ｃｏｎｔｒｏｌ  Ｃｈａｎｎｅｌ  ｅｌｅｍｅｎｔ、ＣＣＥと略称）からなり、各サブフレームのＣＣＥの数はＰＤＣＣＨの数と下り帯域幅により決定されることが定義されている。
【０００５】
ユーザ装置（Ｕｓｅｒ  Ｅｑｕｉｐｍｅｎｔ、ＵＥと略称）は、サーチスペースでブラインド検出をしてＰＤＣＣＨを得るもので、サーチスペースは共用サーチスペースとユーザ専用のサーチスペースがあり、共用サーチスペースとは、全てのＵＥがサーチできる領域で、当該スペースにはセルの専有情報が含まれる。ユーザ専用のサーチスペースは個別のＵＥがサーチできる範囲で、複数のＵＥのユーザ専用サーチスペースは重なることがあるが、それぞれのＵＥのユーザ専用サーチスペースの通常のサーチ開始位置が異なっている。ＵＥのブラインド検出の前に、基地局が高層シグナリングを介し、ＵＥの採用すべき作業モードと、ＰＤＣＣＨの巡回冗長検査（Ｃｙｃｌｉｃ  Ｒｅｄｕｎｄａｎｃｙ  Ｃｈｅｃｋ、ＣＲＣと略称）スクランブリングに用いる無線ネットワークの臨時アイデンティティ（Ｒａｄｉｏ  Ｎｅｔｗｏｒｋ  Ｔｅｍｐｏｒａｒｙ  Ｉｄｅｎｔｉｔｙ、ＲＮＴＩと略称）のタイプを通知する。
【０００６】
その中、サーチスペース
【数１】
2015527017.tif 000003
は、アグリゲーションレベルＬと候補ＰＤＣＣＨの数
【数２】
2015527017.tif 000004
との間の関係は表１を参照。アグリゲーションレベルは即ちＰＤＣＣＨの占めるＣＣＥの数である。ＵＥがユーザ専用のサーチスペースにてブラインド検出をするとき、ＵＥがまずＵＥ  ＩＤ（ユーザアイデンティティ）とサブフレーム番号などにより、ブラインド検出の初期位置
【数３】
2015527017.tif 000005
を計算し、それからユーザ専用のサーチスペースにおいて、自分に割当てるＰＤＣＣＨが検出されるまで検出をする。
【表１】
2015527017.tif 000006
【０００７】
アグリゲーションレベルとＰＤＣＣＨの一つ目の制御チャネルエレメントは、ユーザ専用サーチスペースにおける相対位置及び対応関係は表２を参照。ＰＤＣＣＨの一つ目の制御チャネルエレメントにおける相対位置は、ＰＤＣＣＨの占める最初のＣＣＥのインデックスｎＣＣＥと、ブラインド検出の初期位置
【数４】
2015527017.tif 000007
の相対位置（本出願では、ｎＣＣＥ，ｏｆｆｓｅｔで表す）である
【数５】
2015527017.tif 000008
表２は、ユーザ専用のサーチスペースで、可能な１番目のＣＣＥ位置及び対応するアグリゲーションレベルを示す図である。
【表２】
2015527017.tif 000009
【０００８】
ＬＴＥ技術に関する最近の第６７回会議の議論では、下り制御シグナリングに関する提案は、ほとんどＣＳＩ−ＲＳシグナリング強化、ＤＭＲＳシグナリング強化、セル専用レファレンス信号（Ｃｅｌｌ−Ｓｐｅｃｉｆｉｃ  Ｒｅｆｅｒｅｎｃｅ  Ｓｉｇｎａｌ、ＣＲＳと略称）の衝突と干渉回避の強化、ＰＤＳＣＨ初期符号整合受信の強化、ゼロパワーと非ゼロパワーのＣＳＩ−ＲＳ衝突と干渉回避の強化などである。その中、ＣＲＳ衝突と干渉回避の強化、ＰＤＳＣＨ初期符号整合受信の強化、ゼロパワーと非ゼロパワーのＣＳＩ−ＲＳ衝突と干渉回避の強化のいずれもレート割当て分野に属し、統括して干渉回避方法という。具体的には、通知されたシグナリングによりレート割当て処理、または干渉圧縮処理を行うことができる。その主な原因は、Ｒ１１バージョンの新規場面、特にＳｃｅｎａｒｉｏｌ−３において、ノードによってセルアイデンティティが異なっているため、異なるノードのＣＲＳ位置が異なっているとともに、異なるノードのシーケンスも異なっていることになる。この時、異なるノード間で共同伝送（Ｊｏｉｎｔ  Ｔｒａｎｓｍｉｓｓｉｏｎ、ＪＴと略称）を行うと、異なるノードのリソース合併が整合できなくなり、各セルのＣＲＳ、ＰＤＳＣＨの初期符号又はゼロパワーＣＳＩ−ＲＳの配置により、独立でデータマッピングをする場合、Ｍｕｔｉｎｇ（騒音抑制）のリソース位置が異なることで、データ合併のミスになり、メインサービスノードにより合併すると、リソースの無駄使いになるとともに、他のノードのＣＲＳによるデータへの干渉が導入されてしまう。また、動的ノードの選択（Ｄｙｎａｍｉｃ  Ｐｏｉｎｔ  Ｓｅｌｅｃｔｉｏｎ、ＤＰＳと略称）にとって、異なるサブフレームが異なるノードからＵＥに送信されるため、メインサービスノードに従いデータを送信すると、同じくリソースの無駄使いや、ＣＲＳによるデータへの干渉になり、ゼロパワーＣＳＩ−ＲＳで干渉を測定することを考慮すると、より多くのゼロパワーＣＳＩ−ＲＳを配置しなければならなく、一つのノードに配置されたゼロパワーＣＳＩ−ＲＳサブフレームのＵＥがゼロパワーＣＳＩ−ＲＳの存在を意識しなかった場合、このようなＵＥに大きな影響をもたらすことになる。
【０００９】
関連技術における下りデータのレート割当ての正確率が低いという問題に対して、いままで、効果的な解決案がまだ提出されていない。
【発明の概要】
【発明が解決しようとする課題】
【００１０】
関連技術における下りデータのレート割当ての正確率が低いという問題に対して、本発明は、少なくとも上記課題を解決するために、下りデータのレート割当て方法及び装置を提供する。
【課題を解決するための手段】
【００１１】
本発明の一方面によると、ユーザ装置ＵＥが、基地局により配置された、ＵＥのレート割当てを指示するための１グループ又は複数グループのレート割当てリソース指示情報と、前記１グループまたは複数グループのレート割当てリソース指示情報及び、前記１グループまたは複数グループのレート割当てリソース指示情報の組み合わせを指示するレート割当てリソースの組み合わせ指示情報と、前記ＵＥがネットワークにアクセスする際に取得した当該ＵＥのサービスセルのレート割当てリソース指示情報との何れかを取得することと、前記ＵＥが前記基地局から送信された下り制御情報のサブフレームにおける下り認可指示情報に対応する下り制御情報のフォーマットＤＣＩ  Ｆｏｒｍａｔを確定することと、前記ＵＥは、前記１グループ又は複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、及び前記レート割当てリソース組み合わせ指示情報と前記ＤＣＩ  Ｆｏｒｍａｔとの対応関係を含む予め設定された対応関係と、前記ＤＣＩ  Ｆｏｒｍａｔとにより、前記ＤＣＩ  Ｆｏｒｍａｔの対応するレート割当て用のレート割当てリソース情報を確定し、前記レート割当てリソース情報により下りデータに対してレート割当て操作を行うことを含む下りデータのレート割当て方法を提供する。
【００１２】
前記ＵＥが予め設定された対応関係と前記ＤＣＩ  Ｆｏｒｍａｔにより、前記ＤＣ  Ｆｏｒｍａｔの対応するリソース情報を確定することは、前記下り認可制御情報の対応するＤＣＩ  ＦｏｒｍａｔがＤＣＩ  Ｆｏｒｍａｔ  １Ａである場合、前記ＵＥが現在サブフレームの採用するレート割当てのリソース情報が高層シグナリングにより配置された第１グループのレート割当てリソース指示情報または最低インデックスのレート割当てリソース指示情報であることを確定することと、前記下り認可制御情報の対応するＤＣＩ  Ｆｏｒｍａｔが前記ＤＣＩ  Ｆｏｒｍａｔ  １Ａである場合、前記ＵＥが現在サブフレームの採用するレート割当てのリソース情報が前記ＵＥがネットワークにアクセスする際に取得したサービスセルのレート割当てリソース指示情報であることと、前記下り認可制御情報の対応するＤＣＩ  Ｆｏｒｍａｔが前記ＤＣＩ  Ｆｏｒｍａｔ  １Ａである場合、前記ＵＥが、現在サブフレームの採用するレート割当てのリソース情報が端末専用の高層シグナリングにより配置された１グループのレート割当てリソース指示情報であることを確定することと、前記下り認可制御情報の対応するＤＣＩ  Ｆｏｒｍａｔが前記ＤＣＩ  Ｆｏｒｍａｔ  １Ａである場合、前記ＵＥが第１のプリセットリソース指示情報により端末専用の高層シグナリングに配置された２つのグループのレート割当てリソース指示情報のどちらを現在サブフレームのレート割当てのリソース情報にするかを指示することと、前記下り認可制御情報の対応するＤＣＩ  Ｆｏｒｍａｔが前記ＤＣＩ  Ｆｏｒｍａｔ  １Ａである場合、前記ＵＥが、プリセットしたステータスの対応する、コンテンツが前記高層シグナリングにより前記ＵＥに通知される第２のプリセットリソース指示情報を現在サブフレームのレート割当てのリソース情報にすることと、前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、またはＤＣＩ  Ｆｏｒｍａｔ  ２Ｄである場合、前記ＵＥが前記下り認可制御情報におけるプリセットビットにより指示される第３のプリセットリソース指示情報を前記レート割当て用のリソース情報にすることとの何れかを含むことが好ましい。
【００１３】
前記第１のプリセットリソース指示情報は、マルチキャストブロードキャスト単一周波数ネットワークＭＢＳＦＮサブフレームのＤＣＩ  Ｆｏｒｍａｔ  １Ａにおける集中式リソースブロック／分散式リソースブロック（ＬＶＲＢ／ＤＶＲＢ）の割当てビットにより指示されることが好ましい。
【００１４】
前記プリセットステータスは１つのプリセットステータスである場合、プリセットステータスの対応するレート割当てリソース指示情報を前記レート割当て用のリソース情報とし、前記プリセットステータスは２つのプリセットステータスである場合、ＭＢＳＦＮサブフレームの中のＤＣＩ  Ｆｏｒｍａｔ  １ＡにおけるＬＶＲＢ／ＤＶＲＢ割当てビットにより、前記ＵＥが前記２つのプリセットステータスの中のいずれのプリセットステータスの対応するレート割当てリソース指示情報を選択して前記レート割当て用のリソース情報とするかを指示することが好ましい。
【００１５】
前記プリセットステータスにより、前記第２のプリセットリソース指示情報の対応する、１グループまたは複数グループのレート割当てリソース指示情報対応リソースを含むレート割当てリソース組み合わせ情報、またはレート割当てリソース指示情報を指示することが好ましい。
【００１６】
前記プリセットビットにより、前記第３のプリセットリソース指示情報の対応する、１グループ又は複数グループのレート割当てリソース指示情報対応リソースを含むレート割当てリソース組合せ情報、またはレート割当てリソース指示情報を指示することが好ましい。
【００１７】
前記プリセットステータスが１ビット０ステータスである場合、対応する前記第２のプリセットリソース指示情報がレート割当てリソース組合せステータス０である、または、前記プリセットステータスが２ビット００ステータスである場合、対応する前記第２プリセットリソース指示情報がレート割当てリソース組合せステータス０である、または前記プリセットステータスが１ビット０ステータスである場合、対応する前記第２のプリセットリソース指示情報が第１グループのレート割当てリソースである、または前記プリセットステータスが２ビット００ステータスである場合、対応する前記第２のプリセットリソース指示情報が第１グループのレート割当てリソースであることが好ましい。
【００１８】
前記プリセットビットが０である場合、前記第３のプリセットリソース指示情報がレート割当てリソース組合せステータス０であることを指示し、前記プリセットビット１である場合、前記第３のプリセットリソース指示情報がレート割当てリソース組合せステータス１であることを指示する、または前記プリセットビットが００である場合、前記第３のプリセットリソース指示情報がレート割当てリソース組合せステータス０であることを指示し、前記プリセットビット０１である場合、前記第３のプリセットリソース指示情報がレート割当てリソース組合せステータス１であることを指示する、または前記プリセットビットが１０である場合、前記第３のプリセットリソース指示情報がレート割当てリソース組合せステータス２であることを指示し、前記プリセットビット１１である場合、前記第３のプリセットリソース指示情報がレート割当てリソース組合せステータス３であることを指示する、または、前記プリセットビットが０である場合、前記第３のプリセットリソース指示情報が第１グループのレート割当てリソースであることを指示し、前記プリセットビット１である場合、前記第３のプリセットリソース指示情報が第２グループのレート割当てリソースであることを指示する、または前記プリセットビットが００である場合、前記第３のプリセットリソース指示情報が第１グループのレート割当てリソースであることを指示し、前記プリセットビット０１である場合、前記第３のプリセットリソース指示情報が第２グループのレート割当てリソースであることを指示する、または、前記プリセットビットが１０である場合、前記第３のプリセットリソース指示情報が第３グループのレート割当てリソースであることを指示し、前記プリセットビット１１である場合、前記第３のプリセットリソース指示情報が第３グループまたは第４グループのレート割当てリソースであることを指示することが好ましい。
【００１９】
前記プリセットビットが前記下り認可制御情報における新規追加したビットまたは前記下り認可制御情報におけるＮｓｃｉｄビットであることが好ましい。
【００２０】
前記１グループのレート割当てリソース指示情報または前記複数グループのレート割当てリソース指示情報における１グループ毎のレート割当てリソース指示情報には、レート割当てまたは干渉除去すべきリソース要素の位置情報、物理下り共有チャネルＰＤＳＣＨの初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置情報、セルアイデンティティ、ゼロパワーＣＳＩ−ＲＳ配置情報、非ゼロパワーＣＳＩ−ＲＳ配置情報の少なくとも一つを含む。非ゼロパワーＣＳＩ−ＲＳ配置情報には、少なくともＣＳＩ−ＲＳのポート数、ＣＳＩ−ＲＳの周期及びサブフレームシフト情報、ＣＳＩ−ＲＳのシーケンスアイデンティティ情報、及びＣＳＩ−ＲＳリソース要素位置情報を含む。ゼロパワーＣＳＩ−ＲＳ配置情報には、少なくとも、ゼロパワーＣＳＩ−ＲＳのリソース要素位置情報及びゼロパワーＣＳＩ−ＲＳの周期とサブフレームシフト情報を含む。
【００２１】
前記ＣＲＳポート数の配置は、０，１，２，４ポート配置を含むことが好ましい。
【００２２】
前記ＣＲＳのリソース位置情報は、ＣＲＳ周波数領域リソース位置情報を含み、１ポート配置時の位置インデックスは０，１，２，３，４，５であり、前記位置インデックスがそれぞれ指示するＣＲＳの周波数Ｓｈｉｆｔが０〜５であり、合計３ビットのシグナリングで指示され、２ポートと４ポートの位置インデックスが０，１，２で、それぞれ指示するＣＲＳの周波数シフトが０〜２であり、３ビットのシグナリングで指示されることが好ましい。
【００２３】
前記ＣＲＳのリソース位置情報は、ＣＲＳ周波数領域リソース位置情報を含み、１ポート配置時の位置インデックスは０，１，２，３，４，５であり、それぞれ指示するＣＲＳの周波数Ｓｈｉｆｔが０〜５であり、合計３ビットのシグナリングが必要とされ、２ポートと４ポートの位置インデックスが０，１，２で、それぞれ指示するＣＲＳの周波数シフトが０〜２であり、３ビットのシグナリングを通して指示されることが好ましい。
【００２４】
前記ＣＲＳのポート情報と周波数領域リソース位置情報は９ビットマップ（ｂｉｔｍａｐ）のシグナリングにより指示されることが好ましい。
【００２５】
前記ＣＲＳのリソース位置情報は、対応するセルアイデンティティ（ＩＤ）を配置することで対応するＣＲＳのリソース位置情報を取得することが好ましい。
【００２６】
前記レート割当てリソース組合せ指示情報は、前記基地局により配置され、高層シグナリングにより前記ＵＥに対して複数のレート割当てリソース組合せを通知して、前記各レート割当てリソース組合せ指示情報の中のそれぞれのレート割当てリソース組合せに含まれるレート割当てリソース組合せ指示情報を指示することが好ましい。
【００２７】
本発明のもう一つの方面によると、基地局がユーザ装置ＵＥのレート割当てを指示する１グループまたは複数グループのレート割当てリソース指示情報、又は前記１グループまたは複数グループのレート割当てリソース指示情報の組合せを指示するレート割当てリソース組合せ指示情報を確定することと、前記基地局が前記１グループまたは複数グループのレート割当てリソース指示情報を、高層シグナリングを介し前記ＵＥに送信し、前記ＵＥを、当該基地局の送信した下り制御情報サブフレームにおける下り認可指示情報の対応する下り制御情報フォーマットＤＣＩ  Ｆｏｒｍａｔと、前記１グループまたは複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、前記レート割当てリソース指示情報と前記ＤＣＩ  Ｆｏｒｍａｔとの対応関係の何れかを含むプリセットされた対応関係により、現在サブフレームの前記ＤＣＩ  Ｆｏｒｍａｔの対応する、レート割当て用のレート割当てリソース情報を確定し、前記レート割当てリソース情報により下りデータに対してレート割当て操作を行うようにトリガーすることと、を含む下りデータのレート割当て方法を提供する。
【００２８】
前記プリセットされた対応関係は、前記下り認可制御情報の対応するＤＣＩ  ＦｏｒｍａｔがＤＣＩ  Ｆｏｒｍａｔ  １Ａである場合、基地局が高層シグナリングを介し通知した第１グループのリソース指示情報または最低インデックスの対応するリソース指示情報を、前記レート割当て用のリソース情報とすることと、前記下り認可制御情報の対応するＤＣＩ  Ｆｏｒｍａｔが前記ＤＣＩ  Ｆｏｒｍａｔ  １Ａである場合、ネットワークにアクセスする際に取得した当該ＵＥのサービスセルのレート割当てリソース指示情報を、前記レート割当て用のリソース情報とすることと、前記下り認可制御情報の対応するＤＣＩ  ＦｏｒｍａｔがＤＣＩ  Ｆｏｒｍａｔ  １Ａである場合、前記基地局が、前記ＵＥ  ＤＣＩ  Ｆｏｒｍａｔ  １Ａのために端末専用高層シグナリングにより配置された１グループのレート割当てリソース指示情報を前記レート割当て用のリソース情報とすることと、前記下り認可制御情報の対応するＤＣＩ  Ｆｏｒｍａｔが前記ＤＣＩ  Ｆｏｒｍａｔ  １Ａである場合、前記基地局が前記ＵＥ  ＤＣＩ  Ｆｏｒｍａｔ  １Ａのために、第１プリセットリソース指示情報を介し端末に２つのグループのリソース指示情報の何れを前記レート割当て用のリソース情報とするかを指示することと、前記下り認可制御情報の対応するＤＣＩ  Ｆｏｒｍａｔが前記ＤＣＩ  Ｆｏｒｍａｔ  １Ａである場合、プリセットステータスの対応する、高層シグナリングによりＵＥに内容が通知される第２のプリセットリソース指示情報を、前記レート割当て用のリソース情報とすることと、前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、前記基地局が前記高層シグナリングにより指示された複数グループの指示情報における、前記下り認可制御情報の中のプリセットビットにより指示される第３のプリセットリソース指示情報を、前記レート割当て用のリソース情報とすることとの何れかを含むことが好ましい。
【００２９】
前記第１のプリセットリソース指示情報は、マルチキャストブロードキャスト単一周波数ネットワークＭＢＳＦＮサブフレームのＤＣＩ  Ｆｏｒｍａｔ  １ＡにおけるＬＶＲＢ／ＤＶＲＢの割当てビットにより指示されることが好ましい。
【００３０】
前記プリセットステータスは１つのプリセットステータスである場合、プリセットステータスの対応するレート割当てリソース指示情報を前記レート割当て用のリソース情報とし、前記プリセットステータスは２つのプリセットステータスである場合、ＭＢＳＦＮサブフレームの中のＤＣＩ  Ｆｏｒｍａｔ  １ＡにおけるＬＶＲＢ／ＤＶＲＢ割当てビットにより、前記ＵＥが前記２つのプリセットステータスの中のいずれのプリセットステータスの対応するレート割当てリソース指示情報を選択して前記レート割当て用のリソース情報とするかを指示することが好ましい。
【００３１】
前記プリセットビットが前記下り認可制御情報における新規追加したビットまたは前記下り認可制御情報におけるＮｓｃｉｄビットであることが好ましい。
【００３２】
本発明の一方面によると、基地局により配置された、ＵＥのレート割当てを指示するための１グループ又は複数グループのレート割当てリソース指示情報と、前記１グループ又は複数グループのレート割当てリソース指示情報、及び前記１グループまたは複数グループのレート割当てリソース指示情報の組み合わせを指示するレート割当てリソースの組み合わせ指示情報と、前記ＵＥがネットワークにアクセスする際に取得した当該ＵＥのサービスセルのレート割当てリソース指示情報との何れかの情報を取得する取得モジュールと、前記基地局から送信された下り制御情報のサブフレームにおける下り認可指示情報に対応する下り制御情報のフォーマットＤＣＩ  Ｆｏｒｍａｔを確定する第１の確定モジュールと、前記ＤＣＩ  Ｆｏｒｍａｔと、前記１グループ又は複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、及び前記レート割当てリソース組み合わせ指示情報と前記ＤＣＩ  Ｆｏｒｍａｔとの対応関係を含む予め設定された対応関係とにより、前記ＤＣＩ  Ｆｏｒｍａｔの対応するレート割当て用のレート割当てリソース情報を確定する第２の確定モジュールと、前記レート割当てリソース情報により下りデータに対してレート割当て操作を行う処理モジュールを含む、ユーザ装置ＵＥに適用される下りデータのレート割当て装置を提供する。
【００３３】
前記第２の確定モジュールは、前記下り認可制御情報の対応するＤＣＩ  ＦｏｒｍａｔがＤＣＩ  Ｆｏｒｍａｔ  １Ａである場合、前記基地局が高層シグナリングにより配置された第１グループのレート割当てリソース指示情報を前記レート割当て用のリソース情報とすることを確定する第３の確定モジュール、または前記下り認可制御情報の対応するＤＣＩ  Ｆｏｒｍａｔが前記ＤＣＩ  Ｆｏｒｍａｔ  １Ａである場合、前記ＵＥがネットワークにアクセスする際に取得した当該ＵＥのサービスセルのレート割当てリソース指示情報を前記レート割当て用のリソース情報とすることを確定する第４のモジュール、または前記下り認可制御情報の対応するＤＣＩ  Ｆｏｒｍａｔが前記ＤＣＩ  Ｆｏｒｍａｔ  １Ａである場合、基地局が前記ＤＣＩ  Ｆｏｒｍａｔ  １Ａに端末専用の高層シグナリングにより配置された１グループのレート割当てリソース指示情報をレート割当て用のリソース情報とすることを確定する第５の確定モジュール、または前記下り認可制御情報の対応するＤＣＩ  Ｆｏｒｍａｔが前記ＤＣＩ  Ｆｏｒｍａｔ  １Ａである場合、前記基地局が前記ＤＣＩ  Ｆｏｒｍａｔ  １Ａに第１のプリセットリソース指示情報により端末専用の高層シグナリングにより配置された２つのグループのレート割当てリソース指示情報のどちらをレート割当て用のリソース情報にするかを指示する第６の確定モジュール、または前記下り認可制御情報の対応するＤＣＩ  Ｆｏｒｍａｔが前記ＤＣＩ  Ｆｏｒｍａｔ  １Ａである場合、前記基地局がプリセットしたステータスの対応する、コンテンツが前記高層シグナリングにより前記ＵＥに通知される第２のプリセットリソース指示情報を前記レート割当て用のリソース情報とすることを確定する第７の確定モジュール、前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、またはＤＣＩ  Ｆｏｒｍａｔ  ２Ｄである場合、前記基地局が前記構想シグナリングにより指示された前記複数グループのレート割当てリソース指示情報における、前記下り認可制御情報におけるプリセットビットにより指示される第３のプリセットリソース指示情報を前記レート割当て用のリソース情報とすることを確定する第８モジュールとの何れかを含むことが好ましい。
【００３４】
本発明のもう一つの方面によると、ＵＥのレート割当てを指示するための１グループ又は複数グループのレート割当てリソース指示情報または前記１グループまたは複数グループのレート割当てリソース指示情報の組み合わせを指示するレート割当てリソースの組み合わせ指示情報を確定する第９の確定モジュールと、前記１グループまたは複数グループのレート割当てリソース指示情報を前記ＵＥに送信し、前記ＵＥを、当該基地局から送信された下り制御情報のサブフレームにおける下り認可制御情報の対応する下り制御情報のフォーマットＤＣＩ  Ｆｏｒｍａｔと、前記１グループ又は複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、及び前記レート割当てリソース組み合わせ指示情報と前記ＤＣＩ  Ｆｏｒｍａｔとの対応関係を含む予め設定された対応関係とにより、前記ＤＣＩ  Ｆｏｒｍａｔの対応するレート割当て用のレート割当てリソース情報を確定し、前記レート割当てリソース情報により下りデータに対してレート割当て操作を行うようにトリガーする送信モジュールと、を含む基地局に適用される下りデータのレート割当て装置を提供する。
【００３５】
前記プリセットされた対応関係は、前記下り認可制御情報の対応するＤＣＩ  ＦｏｒｍａｔがＤＣＩ  Ｆｏｒｍａｔ  １Ａである場合、基地局が高層シグナリングを介し通知した第１グループのリソース指示情報または最低インデックスの対応するリソース指示情報を、前記レート割当て用のリソース情報とすることと、前記下り認可制御情報の対応するＤＣＩ  Ｆｏｒｍａｔが前記ＤＣＩ  Ｆｏｒｍａｔ  １Ａである場合、ネットワークにアクセスする際に取得した当該ＵＥのサービスセルのレート割当てリソース指示情報を、前記レート割当て用のリソース情報とすることと、前記下り認可制御情報の対応するＤＣＩ  ＦｏｒｍａｔがＤＣＩ  Ｆｏｒｍａｔ  １Ａである場合、前記基地局が、前記ＵＥ  ＤＣＩ  Ｆｏｒｍａｔ  １Ａのために端末専用高層シグナリングにより配置された１グループのレート割当てリソース指示情報を前記レート割当て用のリソース情報とすることと、前記下り認可制御情報の対応するＤＣＩ  Ｆｏｒｍａｔが前記ＤＣＩ  Ｆｏｒｍａｔ  １Ａである場合、前記基地局が前記ＵＥ  ＤＣＩ  Ｆｏｒｍａｔ  １Ａのために第１プリセットリソース指示情報を介し端末に２つのグループのリソース指示情報の何れを前記レート割当て用のリソース情報とするかを指示することと、前記下り認可制御情報の対応するＤＣＩ  Ｆｏｒｍａｔが前記ＤＣＩ  Ｆｏｒｍａｔ  １Ａである場合、プリセットステータスの対応する、高層シグナリングによりＵＥにコンテンツが通知される第２のプリセットリソース指示情報を、前記レート割当て用のリソース情報とすることと、前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、前記基地局が前記高層シグナリングにより指示された複数グループの指示情報における、前記下り認可制御情報の中のプリセットビットにより指示される第３のプリセットリソース指示情報を、前記レート割当て用のリソース情報とすることとの何れかを含むことが好ましい。
【００３６】
本発明によると、ＵＥがＤＣＩ  Ｆｏｒｍａｔとプリセットした対応関係とにより、当該ＤＣＩ  Ｆｏｒｍａｔの対応する、レート割当て用のレート割当てリソース情報を確定し、レート割当てリソース情報により、下りデータに対してレート割当て操作をすることで、関連技術における下りデータのレート割当てが正確ではない問題を解消して、下りデータのレート割当ての正確率が高められている。
【図面の簡単な説明】
【００３７】
ここで説明する図面は、本出願の一部分として本発明をさらに理解させるためのもので、本発明の例示的な実施例及びその説明は本発明を解釈することに用いられ、本発明に対する不適切な限定にはならない。
【図１】本発明の実施例に係る下りデータのレート割当て方法の第１のフローチャート図である。
【図２】本発明の実施例に係る下りデータのレート割当て方法の第２のフローチャート図である。
【図３】本発明の実施例に係る下りデータのレート割当て装置の第１の構造ブロック図である。
【図４】本発明の実施例に係る下りデータのレート割当て装置の好適な第１の構造ブロック図である。
【図５】本発明の実施例に係る下りデータのレート割当て装置の第２の構造ブロック図である。
【図６】本発明の実施例に係るレート割当て情報１ポート配置の場合の対応するリソース位置を示す図である。
【図７】本発明の実施例に係るレート割当て情報２ポート配置の場合の対応するリソース位置を示す図である。
【図８】本発明の実施例に係るレート割当て情報４ポート配置の場合の対応するリソース位置を示す図である。
【発明を実施するための形態】
【００３８】
以下、図面を参照しながら実施例を結合して本発明を詳しく説明する。なお、衝突がない場合、本出願における実施例および実施例における特徴は互いに組合せることができる。
【００３９】
本発明の実施例に係わるレート割当ては、主にユーザリソース要素のレート割当てに用いられ、即ち、基地局が端末により送信されたリソースブロックの中で、いずれのリソースが対応するデータを積載またはマッピングすることに用いらないかを通知し、端末がこれらの情報を承知してから、対応する位置で該当するデータの受信をしないことである。
【００４０】
本発明の好適な実施例によると、下りデータのレート割当て方法を提供する。図１は本発明の実施例に係わる下りデータのレート割当て方法の第１のフローチャート図である。図１に示すように、当該方法は以下のようなステップＳ１０２〜ステップＳ１０６を含む。
【００４１】
ステップＳ１０２について、ユーザ装置ＵＥが、
基地局に配置された、ＵＥのレート割当てを指示するための１グループ又は複数グループのレート割当てリソース指示情報と、
１グループまたは複数グループのレート割当てリソース指示情報と前記１グループまたは複数グループのレート割当てリソース指示情報の組み合わせを指示するレート割当てリソースの組み合わせ指示情報と、
ＵＥがネットワークにアクセスする際に取得した当該ＵＥのサービスセルのレート割当てリソース指示情報と、の何れかを取得する。
【００４２】
ステップＳ１０４について、ＵＥが前記基地局から送信された下り制御情報のサブフレームにおける下り認可指示情報に対応する下り制御情報のフォーマット（ＤＣＩ  Ｆｏｒｍａｔ）を確定することと、
【００４３】
ステップＳ１０６について、ＵＥは、ＤＣＩ  Ｆｏｒｍａｔと、１グループ又は複数グループのレート割当てリソース指示情報とＤＣＩ  Ｆｏｒｍａｔとの対応関係、サービスセルのレート割当てリソース指示情報とＤＣＩ  Ｆｏｒｍａｔとの対応関係、及びレート割当てリソース組み合わせ指示情報とＤＣＩ  Ｆｏｒｍａｔとの対応関係を含む予め設定された対応関係とにより、ＤＣＩ  Ｆｏｒｍａｔの対応するレート割当て用のレート割当てリソース情報を確定し、前記レート割当てリソース情報により下りデータに対してレート割当て操作を行う。
【００４４】
上記ステップによると、ＵＥがＤＣＩ  Ｆｏｒｍａｔとプリセットした対応関係とにより、当該ＤＣＩ  Ｆｏｒｍａｔの対応する、レート割当て用のレート割当てリソース情報を確定し、レート割当てリソース情報により、下りデータに対してレート割当て操作をすることで、関連技術における下りデータのレート割当てが正確ではない問題を解消して、下りデータのレート割当ての正確率を高めることができる。
【００４５】
実行する際に、ＤＣＩ  Ｆｏｒｍａｔにより、様々な方式によりレート割当てリソース情報を確定することができるが、本好適な実施例は、以下のような実施形態を提供している。
【００４６】
形態１
下り認可制御情報の対応するＤＣＩ  ＦｏｒｍａｔがＤＣＩ  Ｆｏｒｍａｔ  １Ａである場合、ＵＥは、基地局が高層シグナリングにより配置された第１グループのレート割当てリソース指示情報または最低インデックスの対応するリソース指示情報をレート割当て用のリソース情報とすることを確定する。
【００４７】
形態２
下り認可制御情報の対応するＤＣＩ  Ｆｏｒｍａｔが前記ＤＣＩ  Ｆｏｒｍａｔ  １Ａである場合、ＵＥは、ネットワークにアクセスする際に取得した当該ＵＥのサービスセルのレート割当てリソース指示情報を、レート割当て用のリソース情報とすることを確定する。
【００４８】
形態３
下り認可制御情報の対応するＤＣＩ  ＦｏｒｍａｔがＤＣＩ  Ｆｏｒｍａｔ  １Ａである場合、ＵＥは、基地局が前記ＵＥ  ＤＣＩ  Ｆｏｒｍａｔ  １Ａのために端末専用高層シグナリングにより配置された１グループのレート割当てリソース指示情報をレート割当て用のリソース情報とすることを確定する。
【００４９】
形態４
下り認可制御情報の対応するＤＣＩ  Ｆｏｒｍａｔが前記ＤＣＩ  Ｆｏｒｍａｔ  １Ａである場合、ＵＥは、基地局がＵＥ  ＤＣＩ  Ｆｏｒｍａｔ  １Ａのために、第１プリセットリソース指示情報により、端末専用高層シグナリングの配置した２つのグループのリソース指示情報の何れを前記レート割当て用のリソース情報とするかを指示することを確定する。
【００５０】
形態５
下り認可制御情報の対応するＤＣＩ  Ｆｏｒｍａｔが前記ＤＣＩ  Ｆｏｒｍａｔ  １Ａである場合、ＵＥは、基地局がプリセットステータスの対応する、高層シグナリングによりＵＥにコンテンツが通知される第２のプリセットリソース指示情報を、前記レート割当て用のリソース情報とすることを確定する。
【００５１】
形態６
下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、ＵＥは、基地局が前記高層シグナリングにより指示された複数グループの指示情報における、前記下り認可制御情報の中のプリセットビットにより指示される第３のプリセットリソース指示情報を、前記レート割当て用のリソース情報とすることを確定する。
【００５２】
好適な実施例形態として、上記形態４における第１のプリセットリソース指示情報は、マルチキャストブロードキャスト単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ、ＭＢＳＦＮと略称）のサブフレームの中のＤＣＩ  Ｆｒｅｑｕｅｎｃｙ  １Ａにおける集中式リソースブロック／分散式リソースブロック（Ｌｏｃａｌｉｚｅｄ  Ｖｉｒｔｕａｌ  Ｒｅｓｏｕｒｓｅ  Ｂｌｏｃｋ／Ｄｉｓｔｒｉｂｕｔｅｄ  Ｖｉｒｔｕａｌ  Ｒｅｓｏｕｒｓｅ  Ｂｌｏｃｋ、ＬＶＲＢ／ＤＶＲＢと略称）の割当てビットにより指示することができる。
【００５３】
プリセットステータスは１つのプリセットステータスである場合、プリセットステータスの対応するレート割当てリソース指示情報を当該レート割当て用のリソース情報とし、プリセットステータスは２つのプリセットステータスである場合、ＭＢＳＦＮサブフレームの中のＤＣＩ  Ｆｏｒｍａｔ  １ＡにおけるＬＶＲＢ／ＤＶＲＢ割当てビットにより、ＵＥが２つのプリセットステータスの中のいずれのプリセットステータスの対応するレート割当てリソース指示情報を前記レート割当て用のリソース情報とするかを指示することが好ましい。
【００５４】
好適な実施形態として、プリセットステータスにより、第２のプリセットリソース指示情報の対応する、１グループまたは複数のグループのレート割当てリソース指示情報の対応するリソースを含むレート割当てリソース組合せ情報、またはレート割当てリソース指示情報を指示する。
【００５５】
好適な実施形態として、上記形態６において、プリセットビットにより、第３のプリセットリソース指示情報の対応する、１グループまたは複数グループのレート割当てリソース指示情報の対応するリソースを含むレート割当てリソース組合せ指示情報、またはレート割当てリソース指示情報を指示することができる。
【００５６】
実行する際に、プリセットステータスが１ビット０ステータスである場合、対応する第２のプリセットリソース指示情報は、レート割当てリソース組合せステータス０である、または、
プリセットステータスが２ビット００ステータスである場合、対応する第２プリセットリソース指示情報は、レート割当てリソース組合せステータス０である、または、
プリセットステータスが１ビット０ステータスである場合、対応する第２のプリセットリソース指示情報は、第１グループのレート割当てリソースである、または、
プリセットステータスが２ビット００ステータスである場合、対応する前記第２のプリセットリソース指示情報は、第１グループのレート割当てリソースである。
【００５７】
実行する際に、プリセットビットが０である場合、第３のプリセットリソース指示情報がレート割当てリソース組合せステータス０であることを指示し、プリセットビットが１である場合、第３のプリセットリソース指示情報がレート割当てリソース組合せステータス１であることを指示する、または、
プリセットビットが００である場合、第３のプリセットリソース指示情報がレート割当てリソース組合せステータス０であることを指示し、プリセットビット０１である場合、第３のプリセットリソース指示情報がレート割当てリソース組合せステータス１であることを指示して、プリセットビットが１０である場合、第３のプリセットリソース指示情報がレート割当てリソース組合せステータス２であることを指示し、プリセットビット１１である場合、第３のプリセットリソース指示情報がレート割当てリソース組合せステータス３であることを指示する、または、
プリセットビットが０である場合、第３のプリセットリソース指示情報が第１グループのレート割当てリソースであることを指示し、プリセットビット１である場合、第３のプリセットリソース指示情報が第２グループのレート割当てリソースであることを指示する、または、
プリセットビットが００である場合、第３のプリセットリソース指示情報が第１グループのレート割当てリソースであることを指示し、プリセットビット０１である場合、第３のプリセットリソース指示情報が第２グループのレート割当てリソースであることを指示する、前記プリセットビットが１０である場合、第３のプリセットリソース指示情報が第３グループのレート割当てリソースであることを指示し、プリセットビット１１である場合、第３のプリセットリソース指示情報が第３グループまたは第４グループのレート割当てリソースであることを指示する。
【００５８】
指示の柔軟性を高めるために、当該プリセットビットは、下り認可制御情報における新規追加したビットまたは下り認可制御情報におけるＮｓｃｉｄビットである。下り認可制御情報におけるＮｓｃｉｄビットにより指示することで、ビットの利用率が高められている。
【００５９】
実行する際に、当該１グループのレート割当てリソース指示情報または複数グループのレート割当てリソース指示情報における１グループ毎のレート割当てリソース指示情報には、レート割当てまたは干渉除去すべきリソース要素の位置情報、物理下り共有チャネル（ＰＤＳＣＨ）の初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置情報、セルアイデンティティ、ゼロパワーＣＳＩ−ＲＳ配置情報、非ゼロパワーＣＳＩ−ＲＳ配置情報の少なくとも一つを含む。非ゼロパワーＣＳＩ−ＲＳ配置情報には、少なくともＣＳＩ−ＲＳのポート数、ＣＳＩ−ＲＳの周期及びサブフレームシフト情報、ＣＳＩ−ＲＳのシーケンスアイデンティティ情報、及びＣＳＩ−ＲＳリソース要素位置情報を含む。ゼロパワーＣＳＩ−ＲＳ配置情報には、少なくとも、ゼロパワーＣＳＩ−ＲＳのリソース要素位置情報及びゼロパワーＣＳＩ−ＲＳの周期とサブフレームシフト情報を含む。
【００６０】
前記ＣＲＳのリソース位置は、ＣＲＳ周波数領域リソース位置情報を含み、１ポート配置時の位置インデックスは０、１、２、３、４、５で、それぞれＣＲＳの周波数Ｓｈｉｆｔが０〜５であることを、３ビットのシグナリングにより指示される、２ポートと４ポートの位置インデックスが０、１、２で、それぞれＣＲＳの周波数シフトが０〜２であることを指示し、３ビットのシグナリングを通して指示されることが好ましい。
【００６１】
前記ＣＲＳのリソース位置は、ＣＲＳ周波数領域リソース位置情報を含み、１ポート配置時の位置インデックスは０、１、２、３、４、５で、位置インデックスがそれぞれＣＲＳの周波数Ｓｈｉｆｔが０〜５であることを指示し、３ビットのシグナリングにより指示される。２ポートと４ポートの位置インデックスが０、１、２で、それぞれＣＲＳの周波数シフトが０〜２であることを指示し、３ビットのシグナリングを通して指示されることが好ましい。
【００６２】
前記ＣＲＳのポート情報と周波数領域リソース位置情報は９ビットマップ（ｂｉｔｍａｐ）のシグナリングにより指示されることが好ましい。
【００６３】
前記ＣＲＳのリソース位置情報は、対応するセルＩＤを配置することで対応するＣＲＳのリソース位置情報を取得することが好ましい。
【００６４】
レート割当てリソース組合せ指示情報は、基地局により配置され、高層シグナリングによりＵＥに対して複数のレート割当てリソース組合せを通知して、各レート割当てリソース組合せ指示情報の中のそれぞれのレート割当てリソース組合せに含まれるレート割当てリソース組合せ指示情報を指示することが好ましい。
【００６５】
本実施例は下りデータのレート割当て方法を提供し、図２は本発明の実施例に係わる下りデータのレート割当て方法の第２のフローチャート図である。図２に示すように、当該方法は、以下ステップＳ２０２〜ステップＳ２０４を含む。
【００６６】
ステップＳ２０２について、基地局が、ＵＥのレート割当てを指示するための１グループ又は複数グループのレート割当てリソース指示情報、又は前記１グループまたは複数グループのレート割当てリソース指示情報の組み合わせを指示するレート割当てリソースの組み合わせ指示情報を確定する。
【００６７】
ステップＳ２０４について、基地局が１グループまたは複数グループのリソース指示情報、または１グループまたは複数グループのレート割当てリソース指示情報とレート割当てリソース組合せ指示情報をＵＥに送信し、前記ＵＥを、当該基地局の送信した下り制御情報サブフレームにおける下り認可指示情報の対応する下り制御情報フォーマット（ＤＣＩ  Ｆｏｒｍａｔ）と、前記１グループまたは複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、前記レート割当てリソース指示情報と前記ＤＣＩ  Ｆｏｒｍａｔとの対応関係の何れかを含むプリセットされた対応関係により、ＤＣＩ  Ｆｏｒｍａｔの対応する、レート割当て用のレート割当てリソース情報を確定し、前記レート割当てリソース情報により下りデータに対してレート割当て操作を行うようにトリガーする。
【００６８】
上記ステップによると、基地局が確定された１グループまたは複数グループのリソース指示情報、または１グループまたは複数グループのレート割当てリソース指示情報とレート割当てリソース組合せ指示情報をＵＥに送信し、ＵＥを、当該基地局の送信した下り制御情報サブフレームにおける下り認可指示情報の対応する下り制御情報フォーマット（ＤＣＩ  Ｆｏｒｍａｔ）と、プリセットされた対応関係により、当該ＤＣＩ  Ｆｏｒｍａｔの対応する、レート割当て用のレート割当てリソース情報を確定し、レート割当てリソース情報により下りデータに対してレート割当て操作を行うようにトリガーすることで、関連技術における下りデータのレート割当てが正確ではない問題を解消して、下りデータのレート割当ての正確率を高めることができる。
【００６９】
実行する際に、ＤＣＩ  Ｆｏｒｍａｔにより、様々な方式によりレート割当てリソース指示情報のプリセットされた対応関係は、
下り認可制御情報の対応するＤＣＩ  ＦｏｒｍａｔがＤＣＩ  Ｆｏｒｍａｔ  １Ａである場合、基地局が高層シグナリングにより通知された第１グループのレート割当てリソース指示情報または最低インデックスの対応するリソース指示情報をレート割当て用のリソース情報とすることを確定することと、
下り認可制御情報の対応するＤＣＩ  Ｆｏｒｍａｔが前記ＤＣＩ  Ｆｏｒｍａｔ  １Ａである場合、ネットワークにアクセスする際に取得した当該ＵＥのサービスセルのレート割当てリソース指示情報を、レート割当て用のリソース情報とすることを確定することと、
前記下り認可制御情報の対応するＤＣＩ  ＦｏｒｍａｔがＤＣＩ  Ｆｏｒｍａｔ  １Ａである場合、基地局が前記ＵＥ  ＤＣＩ  Ｆｏｒｍａｔ  １Ａのために端末専用高層シグナリングにより配置された１グループのレート割当てリソース指示情報をレート割当て用のリソース情報とすることを確定することと、
下り認可制御情報の対応するＤＣＩ  Ｆｏｒｍａｔが前記ＤＣＩ  Ｆｏｒｍａｔ  １Ａである場合、基地局がＵＥ  ＤＣＩ  Ｆｏｒｍａｔ  １Ａのために、第１プリセットリソース指示情報により、端末が専用高層シグナリングの配置した２つのグループのリソース指示情報の何れを前記レート割当て用のリソース情報とするかを指示することを確定することと、
下り認可制御情報の対応するＤＣＩ  Ｆｏｒｍａｔが前記ＤＣＩ  Ｆｏｒｍａｔ  １Ａである場合、プリセットステータスの対応する、高層シグナリングによりＵＥにコンテンツが通知される第２のプリセットリソース指示情報を、前記レート割当て用のリソース情報とすることを確定することと、
下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、基地局が前記高層シグナリングにより指示された複数グループの指示情報における、前記下り認可制御情報の中のプリセットビットにより指示される第３のプリセットリソース指示情報を、前記レート割当て用のリソース情報とすることを確定することとの何れかを含む。
【００７０】
実行する際に、当該第１のプリセットリソース指示情報は、マルチキャストブロードキャスト単一周波数ネットワーク（ＭＢＳＦＮ）サブフレームのＤＣＩ  Ｆｏｒｍａｔ  １ＡにおけるＬＶＲＢ／ＤＶＲＢの割当てビットにより指示される。
【００７１】
プリセットステータスは１つのプリセットステータスである場合、プリセットステータスの対応するレート割当てリソース指示情報を前記レート割当て用のリソース情報とし、プリセットステータスは２つのステータスである場合、ＭＢＳＦＮサブフレームの中のＤＣＩ  Ｆｏｒｍａｔ  １ＡにおけるＬＶＲＢ／ＤＶＲＢ割当てビットにより、ＵＥが前記２つのプリセットステータスの中のいずれのプリセットステータスの対応するレート割当てリソース指示情報を前記レート割当て用のリソース情報とするかを指示することが好ましい。
【００７２】
指示の柔軟性を高めるために、当該プリセットビットが前記下り認可制御情報における新規追加したビットまたは下り認可制御情報におけるＮｓｃｉｄビットである。下り認可制御情報におけるＮｓｃｉｄビットにより指示することで、ビットの利用率が高められている。
【００７３】
なお、図面のフローチャートで示されたステップは、例えばコンピュータにより実行可能なコンピュータシステムで実行され、且つフローチャートにて、論理的な順番が示されているが、場合によって異なる順番で示された又は説明されたステップを実行することもある。
【００７４】
もう一つの実施例において、上記実施例及び好適な実施例に記載した技術を実行するための下りデータのレート割当てソフトウェアを提供する。
【００７５】
もう一つの実施例において、上記下りデータのレート割当てソフトウェアが記憶された記憶媒体を提供する。当該記憶媒体は、ディスク、フロッピー（登録商標）ディスク、ハードドライブ、消去可能な記憶装置などを含むが、これらに限らない。
【００７６】
本発明の実施例によると、さらに、ＵＥに用いられ、上記下りデータのレート割当て方法及び好適な実施形態を実現するための下りデータのレート割当て装置を提供する。すでに説明したものはここで繰り返して説明しない。以下、当該下りデータのレート割当て装置に係わるモジュールについて説明する。下述するように、術語「モジュール」とは、所定の機能を実現できるソフトウェア及び／またはハードウェアの組合せである。下記実施例に記載するシステム及び方法は、ソフトウェアにより実現することが好ましいが、ハードウェア、またはソフトウェアとハードウェアとの組合せによる実現も可能で、構想されるものである。
【００７７】
図３は本発明の実施例に係わる下りデータのレート割当て装置の第１の構造ブロック図である。図３に示すように、当該装置は、取得モジュール３２と、第１の確定モジュール３４と、第２の確定モジュール３６と、処理モジュール３８とを含む。以下、上記構造について、詳しく説明する。
【００７８】
上記構造は、
基地局により配置され、ＵＥのレート割当てを指示するための１グループ又は複数グループのレート割当てリソース指示情報と、
１グループ又は複数グループのレート割当てリソース指示情報、及び前記１グループまたは複数グループのレート割当てリソース指示情報の組み合わせを指示するレート割当てリソースの組み合わせ指示情報と、
ＵＥがネットワークにアクセスする際に取得した当該ＵＥのサービスセルのレート割当てリソース指示情報と、の何れかの情報を取得する取得モジュール３２と、
基地局から送信された下り制御情報のサブフレームにおける下り認可指示情報に対応する下り制御情報のフォーマットＤＣＩ  Ｆｏｒｍａｔを確定する第１の確定モジュール３４と、取得モジュール３２と第１の確定モジュール３４に接続し、第１の確定モジュール３４により確定されたＤＣＩ  Ｆｏｒｍａｔと、１グループ又は複数グループのレート割当てリソース指示情報とＤＣＩ  Ｆｏｒｍａｔとの対応関係、サービスセルのレート割当てリソース指示情報とＤＣＩ  Ｆｏｒｍａｔとの対応関係、及びレート割当てリソース組み合わせ指示情報とＤＣＩ  Ｆｏｒｍａｔとの対応関係を含む予め設定された対応関係とにより、ＤＣＩ  Ｆｏｒｍａｔの対応するレート割当て用のレート割当てリソース情報を確定する第２の確定モジュール３６と、第２の確定モジュール３６に接続し、第２の確定モジュール３６により確定されたレート割当てリソース情報により下りデータに対してレート割当て操作を行う処理モジュール３８を含む。
【００７９】
図４は本発明の実施例に係わる下りデータのレート割当て装置の好適な第１の構造ブロック図である。図４に示すように、第２の確定モジュール３６は、第３の確定モジュール３６１と、第４の確定モジュール３６２、第５の確定モジュール３６３、第６の確定モジュール３６４、第７の確定モジュール３６５、及び第８の確定モジュール３６６を含む。以下、上記構造について詳しく説明する。
【００８０】
下り認可制御情報の対応するＤＣＩ  ＦｏｒｍａｔがＤＣＩ  Ｆｏｒｍａｔ  １Ａである場合、基地局が高層シグナリングを介し通知した第１グループのリソース指示情報を、レート割当て用のリソース情報とすることを確定する第３の確定モジュール３６１、または
下り認可制御情報の対応するＤＣＩ  Ｆｏｒｍａｔが前記ＤＣＩ  Ｆｏｒｍａｔ  １Ａである場合、ネットワークにアクセスする際に取得した当該ＵＥのサービスセルのレート割当てリソース指示情報を、前記レート割当て用のリソース情報とすることを確定する第４の確定モジュール３６２、または
下り認可制御情報の対応するＤＣＩ  ＦｏｒｍａｔがＤＣＩ  Ｆｏｒｍａｔ  １Ａである場合、基地局が、前記ＵＥ  ＤＣＩ  Ｆｏｒｍａｔ  １Ａのために端末専用高層シグナリングにより配置された１グループのレート割当てリソース指示情報をレート割当て用のリソース情報とすることを確定する第５の確定モジュール３６３、または
下り認可制御情報の対応するＤＣＩ  Ｆｏｒｍａｔが前記ＤＣＩ  Ｆｏｒｍａｔ  １Ａである場合、基地局がＵＥ  ＤＣＩ  Ｆｏｒｍａｔ  １Ａのために第１プリセットリソース指示情報を介し端末に２つのグループのリソース指示情報の何れをレート割当て用のリソース情報とするかを指示することを確定する第６の確定モジュール３６４、または
下り認可制御情報の対応するＤＣＩ  ＦｏｒｍａｔがＤＣＩ  Ｆｏｒｍａｔ  １Ａである場合、プリセットステータスの対応する、高層シグナリングによりＵＥにコンテンツが通知される第２のプリセットリソース指示情報を、前記レート割当て用のリソース情報とすることを確定する第７の確定モジュール３６５、または
下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、基地局が前記高層シグナリングにより指示された複数グループの指示情報における、前記下り認可制御情報の中のプリセットビットにより指示される第３のプリセットリソース指示情報を、前記レート割当て用のリソース情報とすることを確定する第８の確定モジュール３６６を含む。
【００８１】
本発明の実施例によると、さらに、基地局とＵＥに用いられ、上記下りデータのレート割当て方法及び好適な実施形態を実現するための下りデータのレート割当て装置を提供する。すでに説明したものはここで繰り返して説明しない。以下、当該下りデータのレート割当て装置に係わるモジュールについて説明する。下述するように、術語「モジュール」とは、所定の機能を実現できるソフトウェア及び／またはハードウェアの組合せである。下記実施例に記載するシステム及び方法は、ソフトウェアにより実現することが好ましいが、ハードウェア、またはソフトウェアとハードウェアとの組合せによる実現も可能で、構想されるものである。
【００８２】
図５は本発明の実施例に係わる下りデータのレート割当て装置の第２の構造ブロック図である。図５に示すように、当該装置は、第９の確定モジュール５２と、送信モジュール５４とを含む。以下、上記構造について詳しく説明する。
【００８３】
当該装置は、
ユーザ装置ＵＥのレート割当てを指示するための１グループ又は複数グループのレート割当てリソース指示情報、または１グループまたは複数グループのレート割当てリソース指示情報の組み合わせを指示するレート割当てリソース組合わせ指示情報を確定する第９の確定モジュール５２と、
第９の確定モジュール５２に接続し、第９の確定モジュール５２により確定された１グループまたは複数グループのリソース指示情報または１グループ又は複数グループのレート割当てリソース指示情報とレート割当てリソース組合わせ指示情報を前記ＵＥに送信し、前記ＵＥを、当該基地局の送信した下り制御情報サブフレームにおける下り認可指示情報の対応する下り制御情報フォーマットＤＣＩ  Ｆｏｒｍａｔと、前記１グループまたは複数グループのレート割当てリソース指示情報と前記ＤＣＩ  Ｆｏｒｍａｔとの対応関係、前記サービスセルのレート割当てリソース指示情報と前記ＤＣＩ  Ｆｏｒｍａｔとの対応関係、前記レート割当てリソース指示情報と前記ＤＣＩ  Ｆｏｒｍａｔとの対応関係の何れかを含むプリセットされた対応関係により、前記ＤＣＩ  Ｆｏｒｍａｔの対応する、レート割当て用のレート割当てリソース情報を確定し、前記レート割当てリソース情報により下りデータに対してレート割当て操作を行うようにトリガーする送信モジュール５４とを含む。
【００８４】
前記プリセットした対応関係は、
下り認可制御情報の対応するＤＣＩ  ＦｏｒｍａｔがＤＣＩ  Ｆｏｒｍａｔ  １Ａである場合、基地局が高層シグナリングを介し通知した第１グループのリソース指示情報または最低インデックスの対応するリソース指示情報を、前記レート割当て用のリソース情報とすることと、
下り認可制御情報の対応するＤＣＩ  Ｆｏｒｍａｔが前記ＤＣＩ  Ｆｏｒｍａｔ  １Ａである場合、ネットワークにアクセスする際に取得した当該ＵＥのサービスセルのレート割当てリソース指示情報を、前記レート割当て用のリソース情報とすることと、
下り認可制御情報の対応するＤＣＩ  ＦｏｒｍａｔがＤＣＩ  Ｆｏｒｍａｔ  １Ａである場合、前記基地局が、前記ＵＥ  ＤＣＩ  Ｆｏｒｍａｔ  １Ａのために端末専用高層シグナリングにより配置された１グループのレート割当てリソース指示情報を前記レート割当て用のリソース情報とすることと、
下り認可制御情報の対応するＤＣＩ  Ｆｏｒｍａｔが前記ＤＣＩ  Ｆｏｒｍａｔ  １Ａである場合、前記基地局が前記ＵＥ  ＤＣＩ  Ｆｏｒｍａｔ  １Ａのために、第１プリセットリソース指示情報を介し端末に２つのグループのリソース指示情報の何れを前記レート割当て用のリソース情報とするかを指示することと、
下り認可制御情報の対応するＤＣＩ  Ｆｏｒｍａｔが前記ＤＣＩ  Ｆｏｒｍａｔ  １Ａである場合、プリセットステータスの対応する、高層シグナリングによりＵＥにコンテンツが通知される第２のプリセットリソース指示情報を、前記レート割当て用のリソース情報とすることと、
前記下り認可制御情報の対応するＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄである場合、前記基地局が前記高層シグナリングにより指示された複数グループの指示情報における、前記下り認可制御情報の中のプリセットビットにより指示される第３のプリセットリソース指示情報を、前記レート割当て用のリソース情報とすることとの何れかを含むことが好ましい。
【００８５】
好適な実施例１
本好適な実施例によると、以下ステップＳ３０２〜ステップＳ３０８を含む下りデータレート割当て方法を提供する。
【００８６】
ステップＳ３０２について、ＵＥが基地局から送信した、ＵＥのレート割当て用の１グループまたは複数グループのリソース指示情報（レート割当てリソース指示情報）を受信する。
【００８７】
ステップＳ３０４について、ＵＥが基地局から送信した、下り制御情報のサブフレームを受信し、前記サブフレームにおける下り認可指示情報を取得する。
【００８８】
ステップＳ３０６について、ＵＥが検出で得られたＤＣＩ  Ｆｏｒｍａｔにより対応するリソース指示情報を確定しレート割当てを行う。以下のような形態を含む。
【００８９】
形態１、ＵＥは、下り認可制御情報がＤＣＩ  Ｆｏｒｍａｔ  １Ａが採用されていると検出した場合、基地局高層シグナリングにより通知された第１グループのリソース指示情報または最低インデックスのレート割当てリソース指示情報（レート割当てリソース指示情報）により、レート割当てを行う。
【００９０】
形態２、ＵＥは、下り認可制御情報がＤＣＩ  Ｆｏｒｍａｔ  １Ａが採用されていると検出した場合、ネットワークにアクセスする際に同期検出した当該ＵＥのサービスセルのリソース指示情報により、レート割当てを行う。
【００９１】
形態３、前記ＵＥは、下り認可制御情報がＤＣＩ  Ｆｏｒｍａｔ  １Ａが採用されていると検出した場合、基地局が、前記ＵＥ  ＤＣＩ  Ｆｏｒｍａｔ  １Ａのために端末専用高層シグナリングにより配置されたリソース指示情報によりレート割当てを行う。
【００９２】
形態４、前記ＵＥは、下り認可制御情報がＤＣＩ  Ｆｏｒｍａｔ  １Ａが採用されていると検出した場合、ＭＢＳＦＮサブフレームにおいて、ＤＣＩ  Ｆｏｒｍａｔ  １ＡにおけるＬＶＲＢ／ＤＶＲＢ割当てビットにより、基地局側が前記端末ＤＣＩ  Ｆｏｒｍａｔ  １Ａに端末専用高層シグナリングにより配置された２つのグループのリソース指示情報の何れでレート割り当てデマッピングをするかを指示する。
【００９３】
形態５、前記ＵＥは、下り認可制御情報がＤＣＩ  Ｆｏｒｍａｔ  １Ａが採用されていると検出した場合、基地局が高層シグナリングにより通知した、１ビット０ステータスまたは２ビット００ステータスに対応するリソース指示情報によりレート割当てを行う。
【００９４】
形態６、前記ＵＥは、下り認可制御情報がＤＣＩ  Ｆｏｒｍａｔ  １Ａが採用されていると検出した場合、基地局が高層シグナリングにより通知した、１ビット０ステータスまたは２ビット０１ステータスに対応するリソース指示情報によりレート割当てを行う。
【００９５】
形態７、前記ＵＥは、下り認可制御情報がＤＣＩ  Ｆｏｒｍａｔ  １Ａが採用されていると検出した場合、ＭＢＳＦＮサブフレームにおいて、ＤＣＩ  Ｆｏｒｍａｔ  １ＡにおけるＬＶＲＢ／ＤＶＲＢ割当てビットにより、基地局が高層シグナリングにより通知した２ビット００ステータスと０１ステータスリソースのどのステータスによりレート割当てをするかを指示する。前記ＵＥは、下り認可制御情報がＤＣＩ  ＦｏｒｍａｔがＤＣＩ  Ｆｏｒｍａｔ  ２Ｂ、ＤＣＩ  Ｆｏｒｍａｔ  ２Ｃ、又はＤＣＩ  Ｆｏｒｍａｔ  ２Ｄが採用されていると検出した場合、下り認可制御シグナリングにおける２ビットで基地局が高層シグナリングにより通知した複数グループのリソース指示情報の中のいずれによりレート割当てをするかを指示する。
【００９６】
ステップＳ３０８について、ＵＥが前記リソース位置で前記ＵＥに送信した下りデータに対してレート割当て処理をする。
【００９７】
１ビットでレート割当て組合せステータス、または２ビットで４つのレート割当てリソース組合せステータスを指示することが好ましく、各レート割当てリソースステータスは、一つ又は複数のレート割当てリソースからなる。各ステータスの表すレート割当てリソース組合せは基地局から端末専用高層シグナリングが送信される。
【００９８】
【表３】
2015527017.tif 000010
【表４】
2015527017.tif 000011
【００９９】
上記各ステータスの代表するレート割当てリソース組合せは基地局から、Ｎ（好ましくは２又は４）ビットのｂｉｔｍａｐシーケンスからなる端末専用高層シグナリング指示が送信されることが好ましい。
【０１００】
好適な実施形態として、１ビットで２つのレート割当てリソース組合せステータスを指示する、または２ビットで４つのレート割当てリソース組合せステータスを指示することができる。各レート割当てリソースステータスは、一つまたは複数のレート割当てリソースからなる。各ステータスの代表するレート割当てリソース組合せは基地局から端末専用高層シグナリング指示が送信される。
【０１０１】
【表５】
2015527017.tif 000012
【表６】
2015527017.tif 000013
【０１０２】
好適な実施形態として、上記リソース位置は、
レート割当てまたは干渉除去すべきリソース要素の位置情報、物理下り共有チャネルＰＤＳＣＨの初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置情報、ゼロパワーＣＳＩ−ＲＳ配置情報、非ゼロパワーＣＳＩ−ＲＳ配置情報の少なくとも一つを含む。非ゼロパワーＣＳＩ−ＲＳ配置情報には、少なくともＣＳＩ−ＲＳのポート数、ＣＳＩ−ＲＳの周期及びサブフレームシフト情報、ＣＳＩ−ＲＳのシーケンスアイデンティティ情報、及びＣＳＩ−ＲＳリソース要素位置情報を含む。ゼロパワーＣＳＩ−ＲＳ配置情報には、少なくとも、ゼロパワーＣＳＩ−ＲＳのリソース要素位置情報及びゼロパワーＣＳＩ−ＲＳの周期とサブフレームシフト情報を含む。
【０１０３】
ＣＲＳポート数配置は０，１，２，４ポート配置を含む。
【０１０４】
前記ＣＲＳのリソース位置情報は、ＣＲＳ周波数領域リソース位置情報を含み、１ポート配置時の位置インデックスは０，１，２，３，４，５で、それぞれ指示するＣＲＳの周波数Ｓｈｉｆｔが０〜５であり、合計３ビットのシグナリングが必要とされ、２ポートと４ポートの位置インデックスが０，１，２で、それぞれ指示するＣＲＳの周波数Ｓｈｉｆｔが０〜２であり、合計２ビットのシグナリングが必要とされることが好ましい。
【０１０５】
前記ＣＲＳのポート情報と周波数領域リソース位置情報は９ビットｂｉｔｍａｐのシグナリングにより指示されることが好ましい。各レート割当てリソースには９ビットのｂｉｔｍａｐシーケンスを含み、対応するＣＲＳポート数と周波数領域位置の組合せを指示する。
【０１０６】
前記ＣＲＳのリソース位置情報は、対応するセルＩＤを配置することで対応するＣＲＳのリソース位置情報を取得することが好ましい。
【０１０７】
好適な実施例２
本好適な実施例において、ＵＥ１はＲ１１又はより高いバージョンのユーザであり、基地局側は高層シグナリングによりＵＥ１に２グループ、３グループ、又は４グループのレート割当てリソース指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局が高層シグナリングで端末に通知した第１グループリソース指示情報または最低インデックスのレート割当てリソース指示情報によりレート割当て、データマッピング及び送信をする。
【０１０８】
ＵＥ１が基地局から送信した２グループのリソース位置指示情報を受信し、下りサブフレームで下り制御情報を取得しようと、ＰＤＣＣＨ領域又はＥＰＤＣＣＨ領域を検出して、ＵＥ１は、下り認可制御情報がＤＣＩ  Ｆｏｒｍａｔ  １Ａを採用したことを検出した場合、基地局により高層シグナリングで通知した第１グループのリソース指示情報または最低インデックスのレート割当てリソース指示情報により、レート割当てとデータの受信を行う。
【０１０９】
好適な実施例３
本好適な実施例において、ＵＥ１はＲ１１又はより高いバージョンのユーザであり、基地局側は高層シグナリングによりＵＥ１に２グループのレート割当てリソース指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局は、端末がネットワークにアクセスした時に同期検出されたサービスセルのレート割当てリソース情報によりレート割当てと、データマッピングを行う。
【０１１０】
ＵＥ１が基地局から送信した２グループのリソース位置指示情報を受信し、下りサブフレームで下り制御情報を取得しようとＰＤＣＣＨ領域又はＥＰＤＣＣＨ領域を検出して、ＵＥ１は、下り認可制御情報がＤＣＩ  Ｆｏｒｍａｔ  １Ａを採用したことを検出した場合、ネットワークにアクセスした時に同期検出されたサービスセルのレート割当てリソース情報によりレート割当てと、データ検出を行う。
【０１１１】
好適な実施例４
本好適な実施例において、ＵＥ１はＲ１１又はより高いバージョンのユーザであり、基地局側は高層シグナリングによりＵＥ１に３グループまたは４グループのレート割当てリソース指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局は、端末がネットワークにアクセスした時に同期検出されたサービスセルのリソース指示情報によりレート割当てと、データマッピングを行う。
【０１１２】
ＵＥ１が基地局から送信した３グループ又は４グループのリソース位置指示情報を受信し、下りサブフレームで下り制御情報を取得しようとＰＤＣＣＨ領域又はＥＰＤＣＣＨ領域を検出して、ＵＥ１は、下り認可制御情報がＤＣＩ  Ｆｏｒｍａｔ  １Ａを採用したことを検出した場合、ネットワークにアクセスした時に同期検出されたサービスセルのリソース情報によりレート割当てと、データ検出を行う。
【０１１３】
好適な実施例５
本好適な実施例において、ＵＥ１はＲ１１又はより高いバージョンのユーザであり、基地局側は高層シグナリングによりＵＥ１に２グループのレート割当てリソース指示情報を配置して、また基地局は端末専用高層シグナリングによりＵＥ１にＤＣＩ  Ｆｏｒｍａｔ  １Ａ専用のレート割当てリソース指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局は、ＤＣＩ  Ｆｏｒｍａｔ  １Ａ専用のレート割当てリソース指示情報によりレート割当てと、データマッピングを行う。
【０１１４】
ＵＥ１が端末専用高層シグナリングを受信することで基地局から送信した２グループのリソース位置指示情報及びＤＣＩ  Ｆｏｒｍａｔ  １Ａ専用のレート割当てリソース指示情報を取得し、下りサブフレームで下り制御情報を取得しようとＰＤＣＣＨ領域又はＥＰＤＣＣＨ領域を検出して、ＵＥ１は、下り認可制御情報がＤＣＩ  Ｆｏｒｍａｔ  １Ａを採用したことを検出した場合、ＤＣＩ  Ｆｏｒｍａｔ  １Ａ専用のレート割当てリソース情報によりレート割当てと、データマッピングを行う。
【０１１５】
好適な実施例６
本好適な実施例において、ＵＥ１はＲ１１又はより高いバージョンのユーザであり、基地局側は高層シグナリングによりＵＥ１に３グループ又は４グループのレート割当てリソース指示情報を配置して、また基地局は端末専用高層シグナリングによりＵＥ１にＤＣＩ  Ｆｏｒｍａｔ  １Ａ専用のレート割当てリソース指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局は、ＤＣＩ  Ｆｏｒｍａｔ  １Ａ専用のレート割当てリソース指示情報によりレート割当てと、データマッピングを行う。
【０１１６】
ＵＥ１が端末専用高層シグナリングを受信することで基地局から送信した３グループまたは４グループのリソース位置指示情報及びＤＣＩ  Ｆｏｒｍａｔ  １Ａ専用のレート割当てリソース指示情報を取得し、下りサブフレームで下り制御情報を取得しようとＰＤＣＣＨ領域又はＥＰＤＣＣＨ領域を検出して、ＵＥ１は、下り認可制御情報がＤＣＩ  Ｆｏｒｍａｔ  １Ａを採用したことを検出した場合、ＤＣＩ  Ｆｏｒｍａｔ  １Ａ専用のレート割当てリソース情報によりレート割当てと、データマッピングを行う。
【０１１７】
好適な実施例７
本好適な実施例において、ＵＥ１はＲ１１又はより高いバージョンのユーザであり、基地局側は高層シグナリングによりＵＥ１に３グループ又は４グループのレート割当てリソース指示情報及びその組合せ情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局は、高層シグナリングにより通知した１ビット０ステータスに対応するレート割当てリソースの組合せ情報によりレート割当てをする。その中、２つのステータス０と１があり、各ステータスの対応するレート割当てリソースの組合せ情報は表７の示すとおりである。レート割当てリソース組合せステータス０とレート割当てリソース組合せステータス１はいずれのレート割当てリソース指示情報により構成するかは基地局側に配置された端末専用高層シグナリングにより指示される。
【表７】
2015527017.tif 000014
【０１１８】
３グループまたは４グループのＵＥ１が基地局から送信した３グループまたは４グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  １Ａを採用したことを検出した場合、高層シグナリングにより通知した２ビット０ステータスに対応するレート割当てリソース組合せ情報によりレート割当てを行う。
【０１１９】
好適な実施例８
本好適な実施例において、ＵＥ１はＲ１１又はより高いバージョンのユーザであり、基地局側は高層シグナリングによりＵＥ１に３グループ又は４グループのレート割当てリソース指示情報及びリソース組合せ情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａとして配置された場合、基地局は、高層シグナリングにより通知した２ビット００ステータスに対応するレート割当てリソース組合せ情報によりレート割当てをする。
【０１２０】
その中、４つのステータス００，０１，１０，及び１１があり、各ステータスの対応するレート割当てリソースの組合せ情報は表８の示すとおりである。レート割当てリソース組合せ指示情報０，１，２，３はいずれのレート割当てリソース指示情報により構成するかは基地局側に配置された高層シグナリングにより指示される。
【０１２１】
３グループまたは４グループのＵＥ１が基地局から送信した３グループまたは４グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  １Ａを採用したことを検出した場合、基地局が高層シグナリングにより通知した２ビット００ステータスに対応するリソース指示情報の組合せによりレート割当てを行う。
２ビットステータスの配置方法は表８に示すとおりである。
【表８】
2015527017.tif 000015
【０１２２】
好適な実施例９
本好適な実施例において、ＵＥ１はＲ１１又はより高いバージョンのユーザであり、基地局側は高層シグナリングによりＵＥ１に３グループ又は４グループのレート割当てリソース指示情報及びレート割当て組合せリソース指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  ２ＢまたはＤＣＩ  Ｆｏｒｍａｔ  ２Ｃ、またはＤＣＩ  Ｆｏｒｍａｔ  ２Ｄである場合、基地局は、下り認可制御シグナリングにおけるＮｓｃｉｄ１ビットで、基地局が高層シグナリングで通知した２グループのレート割当て組合せリソース指示情報のいずれによりレート割当てマッピングをするかを指示する。
【０１２３】
その中、２つのステータス０と１があり、各ステータスの対応するレート割当てリソース組合せ指示情報は表７の示すとおりである。レート割当てリソース組合せ指示情報０，１はいずれのレート割当てリソース指示情報により構成するかは基地局側に配置された端末専用高層シグナリングにより指示される。
【０１２４】
このような高層シグナリングは２つの４ビットのｂｉｔｍａｐシーケンスからなる。各ｂｉｔｍａｐシーケンスが１つのステータスにおいて４つのリソース指示情報の組合せに対応する。対応するビットが０である場合、対応するリソース情報が対応するステータスに含まれていないことを表し、ビットが１である場合、対応するリソース情報が対応するステータスに含まれることを表す。ここでは、３グループ又は４グループのリソース位置指示情報が配置されたので、ｂｉｔｍａｐシーケンスの長さは４である。実は、ｂｉｔｍａｐシーケンスの長さと最大配置可能なレート割当て情報の数とは同様である。
【０１２５】
ＵＥ１が基地局から送信した３グループまたは４グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  ２ＢまたはＤＣＩ  Ｆｏｒｍａｔ  ２Ｃ、又はＤＣＩ  Ｆｏｒｍａｔ  ２Ｄである場合、下り認可制御シグナリングにおけるＮｓｃｉｄ１ビットで、基地局が高層シグナリングで通知した２グループのレート割当てリソース組合せ指示情報のいずれによりレート割当てマッピングをするかを指示する。
１ビットステータスの配置方法は表７に示すとおりである。
【０１２６】
好適な実施例１０
本好適な実施例において、ＵＥ１はＲ１１又はより高いバージョンのユーザであり、基地局側は高層シグナリングによりＵＥ１に３グループ又は４グループのリソース位置指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａである場合、基地局は、高層シグナリングで通知した２ビット００ステータスリソース指示情報によりレート割当てを行う。
【０１２７】
その中、各ステータスがいずれのレート割当てリソースに対応するかは、別の高層シグナリングにより通知、または予め定義される。００ステータスが第１グループのレート割当てリソースに対応し、０１ステータスが第２グループのレート割当てリソースに対応して、１０が第３グループのレート割当てリソースに対応し、１１が第３または第４グループのレート割当てリソースに対応する。
【０１２８】
ＵＥ１が基地局から送信した３グループまたは４グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  １Ａを採用したことを検出した場合、基地局が高層シグナリングにより通知した２ビット００ステータスに対応するリソース指示情報によりレート割当てを行う。
２ビットステータスの配置方法は表９に示すとおりである。
【表９】
2015527017.tif 000016
【０１２９】
好適な実施例１１
本好適な実施例において、ＵＥ１はＲ１１又はより高いバージョンのユーザであり、基地局側は高層シグナリングによりＵＥ１に２グループのリソース位置指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａである場合、基地局は、高層シグナリングで通知したＮｓｃｉｄ１ビット０ステータスリソース指示情報によりレート割当てを行う。
【０１３０】
その中、各ステータスがいずれのレート割当てリソースに対応するかは、別の高層シグナリングにより通知、または予め定義される。第１グループのレート割当てリソースがステータス０に対応し、第２グループのレート割当てリソースがステータス１に対応することが好ましい。
【０１３１】
ＵＥ１が基地局から送信した２グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  １Ａを採用したことを検出した場合、基地局が高層シグナリングにより通知したＮｓｃｉｄ１ビット００テータスに対応するリソース指示情報によりレート割当てを行う。
１ビットステータスの配置方法は表１０に示すとおりである。
【表１０】
2015527017.tif 000017
【０１３２】
好適な実施例１２
本好適な実施例において、ＵＥ１はＲ１１又はより高いバージョンのユーザであり、基地局側は高層シグナリングによりＵＥ１に３グループまたは４グループのリソース位置指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  ２ＢまたはＤＣＩ  Ｆｏｒｍａｔ２Ｃ、またはＤＣＩ  Ｆｏｒｍａｔ  ２Ｄである場合、下り認可制御シグナリングにおける２ビットで、基地局が高層シグナリングにより通知した複数グループのリソース指示情報のいずれによってレート割当てマッピングを行うかを指示する。
【０１３３】
その中、各ステータスがいずれのレート割当てリソースに対応するかは、別の高層シグナリングにより通知、または予め定義される。００テータスが第１グループのレート割当てリソースに対応し、０１ステータスが第３グループのレート割当てリソースに対応し、１１が第３グループ又は第４グループのレート割当てリソースに対応することが好ましい。
【０１３４】
ＵＥ１が基地局から送信した３グループまたは４グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  ２Ｂ、又はＤＣＩ  Ｆｏｒｍａｔ  ２Ｃ、又はＤＣＩ  Ｆｏｒｍａｔ  ２Ｄである場合、下り認可制御シグナリングにおける２ビットにより、基地局が高層シグナリングで通知した複数グループの指示情報における何れかにより、レート割当てマッピングを行うことを指示する。
２ビットステータスの配置方法は表９に示すとおりである。
【０１３５】
好適な実施例１３
ＵＥ１はＲ１１又はより高いバージョンのユーザとして、基地局側は高層シグナリングによりＵＥ１に２グループのリソース位置指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  ２ＢまたはＤＣＩ  Ｆｏｒｍａｔ２Ｃ、またはＤＣＩ  Ｆｏｒｍａｔ  ２Ｄである場合、下り認可制御シグナリングにおけるＮｓｃｉｄ１ビットで、基地局が高層シグナリングにより通知した複数グループのリソース指示情報のいずれによってレート割当てマッピングを行うかを指示する。
【０１３６】
その中、各ステータスがいずれのレート割当てリソースに対応するかは、別の高層シグナリングにより通知、または予め定義される。第１グループのレート割当てリソースが０テータスに対応し、第２グループのレート割当てリソースがステータス１に対応することが好ましい。
【０１３７】
ＵＥ１が基地局から送信した２グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  ２Ｂ、又はＤＣＩ  Ｆｏｒｍａｔ  ２Ｃ、又はＤＣＩ  Ｆｏｒｍａｔ  ２Ｄである場合、下り認可制御シグナリングにおけるＮｓｃｉｄ１ビットにより、基地局が高層シグナリングで通知した２グループの指示情報における何れかにより、レート割当てマッピングを行うことを指示する。
１ビットステータスの配置方法は表１０に示すとおりである。
【０１３８】
好適な実施例１４
ＵＥ１はＲ１１又はより高いバージョンのユーザとして、基地局側は高層シグナリングによりＵＥ１に２グループのリソース位置指示情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａで、且つ検出されたサブフレームがＭＢＳＦＮサブフレームである場合、ＤＣＩ  Ｆｏｒｍａｔ  １ＡにおけるＬＶＲＢ／ＤＶＲＢビットにより、基地局が高層シグナリングにより通知した複数グループのリソース指示情報のいずれかによってレート割当てマッピングを行うことを指示する。
【０１３９】
その中、各ステータスがいずれのレート割当てリソースに対応するかは、別の高層シグナリングにより通知、または予め定義される。第１グループのレート割当てリソースがテータス０に対応し、第２グループのレート割当てリソースがステータス１に対応することが好ましい。
【０１４０】
ＵＥ１が基地局から送信した２グループのリソース位置指示情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  １Ａであることを検出した場合、ＤＣＩ  Ｆｏｒｍａｔ  １ＡにおけるＬＶＲＢ／ＤＶＲＢビットにより、基地局が高層シグナリングにより通知した複数グループのリソース指示情報のいずれかによってレート割当てマッピングを行うことを指示する。
１ビットステータスの配置方法は表１０に示すとおりである。
【０１４１】
好適な実施例１５
ＵＥ１はＲ１１又はより高いバージョンのユーザとして、基地局側は高層シグナリングによりＵＥ１に３グループまたは４グループのリソース位置指示情報及びレート割当てリソース組合せ情報を配置して、スケジューリングすべきＵＥ１の下りサービスサブフレームのＰＤＣＣＨ領域またはＥＰＤＣＣＨ領域でＤＬ＿Ｇｒａｎｔ（下り認可）情報を送信して、現在サブフレームにおけるＵＥ１の下りデータを指示し、確定された下り認可情報のフォーマットにより物理下り制御チャネルＰＤＣＣＨまたは補強物理下り制御チャネルＥＰＤＣＣＨに含まれる下り認可情報を送信する。下り認可制御情報がＤＣＩ  Ｆｏｒｍａｔ  １Ａで、且つ検出されたサブフレームがＭＢＳＦＮサブフレームである場合、ＤＣＩ  Ｆｏｒｍａｔ  １ＡにおけるＬＶＲＢ／ＤＶＲＢビットにより、基地局が高層シグナリングにより通知した２グループのレート割当てリソース組合せ情報のいずれかによってレート割当てマッピングを行うことを指示する。
【０１４２】
その中、各ステータスがいずれのレート割当てリソースに対応するかは、別の高層シグナリングにより通知される。
【０１４３】
ＵＥ１が基地局から送信した３グループまたは４グループのレート割当てリソース指示情報、及びレート割当てリソース組合せ情報を受信し、下りサブフレームで下り制御情報を取得しようとＰＤＣＣＨ領域またはＥＰＤＣＣＨ領域を検出し、ＵＥ１は、下り認可制御情報がＤＣＩ  Ｆｏｒｍａｔ  １Ａであることを検出した場合、ＤＣＩ  Ｆｏｒｍａｔ  １ＡにおけるＬＶＲＢ／ＤＶＲＢビットにより、基地局が高層シグナリングにより通知した２グループのリソース組合せ指示情報のいずれかによってレート割当てマッピングを行うことを指示する。
１ビットステータスの配置方法は表１０に示すとおりである。
【０１４４】
好適な実施例１６
本好適な実施例において、レート割当てリソース指示情報には、物理下り共有チャネルＰＤＳＣＨの初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置情報、ゼロパワーＣＳＩ−ＲＳ配置情報、またはＣＳＩプロセスインデックス指示の少なくとも一つを含む。
【０１４５】
上記ＣＲＳポート数配置は、０，１，２，４ポート配置を含む。０に配置された場合、ＣＲＳリソース要素のレート割当てを何らしない。
【０１４６】
前記ＣＲＳのリソース位置情報は、ＣＲＳ周波数領域リソース位置情報を含み、１ポート配置時の位置インデックスは０，１，２，３，４，５で、それぞれ指示するＣＲＳの周波数シフトが０〜５であり、６ビットｂｉｔｍａｐシーケンスシグナリングにより指示され、各ビットが一つのＣＲＳ周波数シフトインデックスリソースに対応する。２ポートと４ポートの位置インデックスが０，１，２で、それぞれ指示するＣＲＳの周波数シフトが０〜２であり、３ビットのシグナリングで指示され、それぞれのビットが一つのＣＲＳ周波数シフトインデックスリソースに対応する。ｂｉｔｍａｐシーケンスにおけるビットが０である場合に、対応するリソースにはＣＲＳレート割当てリソースが存在しないことを表し、１である場合、対応するリソースにはＣＲＳレート割当てリソースが存在することを表す。各ビットの対応するリソース位置が図６、７、８に示すとおりである。
【０１４７】
好適な実施例１７
本好適な実施例において、レート割当てリソース指示情報には、
物理下り共有チャネルＰＤＳＣＨの初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置、ゼロパワーＣＳＩ−ＲＳ、またはＣＳＩプロセスインデックス指示の少なくとも一つを含む。
【０１４８】
上記ＣＲＳポート数配置は、０，１，２，４ポート配置を含む。０に配置された場合、ＣＲＳリソース要素のレート割当てを何らしない。
【０１４９】
前記ＣＲＳのリソース位置情報は、ＣＲＳ周波数領域リソース位置情報を含み、１ポート配置時の位置インデックスは０，１，２，３，４，５で、それぞれ指示するＣＲＳの周波数シフトが０〜５であり、６ビットｂｉｔｍａｐシーケンスシグナリングにより指示され、各ビットが一つのＣＲＳ周波数シフトインデックスリソースに対応する。２ポートと４ポートの位置インデックスが０，１，２で、それぞれ指示するＣＲＳの周波数シフトが０〜２であり、６ビットのｂｉｔｍａｐシーケンスシグナリングで指示され、前の３ビットまたはそれぞれのビットが一つのＣＲＳ周波数シフトインデックスリソースに対応する。ｂｉｔｍａｐシーケンスにおけるビットが０である場合に、対応するリソースにはＣＲＳレート割当てリソースが存在しないことを表し、１である場合、対応するリソースにはＣＲＳレート割当てリソースが存在することを表す。各ビットの対応するリソース位置が図６、７、８に示すとおりである。
【０１５０】
好適な実施例１８
本好適な実施例において、レート割当てリソース指示情報には、
物理下り共有チャネルＰＤＳＣＨの初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置、ゼロパワーＣＳＩ−ＲＳ、またはＣＳＩプロセスインデックス指示の少なくとも一つまたは複数を含む。
【０１５１】
前記ＣＲＳのリソース位置情報は、ＣＲＳ周波数領域リソース位置情報を含み、１ポート配置時の位置インデックスは０，１，２，３，４，５で、それぞれ指示するＣＲＳの周波数シフトが０〜５であり、３ビットインデックスシグナリングにより対応するＣＲＳ周波数シフトインデックスリソースを指示する。２ポートと４ポートの位置インデックスが０，１，２で、それぞれ指示するＣＲＳの周波数シフトが０〜２であり、２または３ビットのインデックスシグナリングで対応するＣＲＳ周波数シフトインデックスリソースを指示する。ＣＲＳの周波数シフトの対応するリソース位置が図６、７、８に示すとおりである。
【０１５２】
好適な実施例１９
本好適な実施例において、レート割当てリソース指示情報には、
物理下り共有チャネル（ＰＤＳＣＨ）の初期位置、リソース位置の対応するマルチキャストブロードキャスト単一周波数ネットワークＭＢＳＦＮサブフレームの配置状況、セル専用のレファレンス信号ＣＲＳのポート数、ＣＲＳのリソース位置、ゼロパワーＣＳＩ−ＲＳ、またはＣＳＩプロセスインデックス指示の少なくとも一つまたは複数を含む。
【０１５３】
前記ＣＲＳのポート数と周波数リソース位置情報は９ｂｉｔｍａｐのシーケンスにより指示される。
【０１５４】
前の６ビットは図６におけるＯＦＤＭ符号０，４，７，１１はそれぞれ対応するリソースの６つのＣＲＳ位置を指示し、後ろの３ビットは図７におけるＯＦＤＭ符号１，８における３つのＣＲＳリソース位置を指示する。
【０１５５】
好適な実施例２０
本好適な実施例において、レート割当てリソース組合せ指示情報の配置方法は、
基地局が３グループのレート割当てリソース指示情報を配置することで端末の対応するレート割当てリソース指示情報０、レート割当てリソース指示情報１、レート割当てリソース指示情報２を含むレート割当てリソース指示情報を指示することと、
基地局が端末専用高層シグナリングにより、レート割当てリソース組合せ指示情報０：０，１，１（ｂｉｔｍａｐシーケンス）と、レート割当てリソース組合せ指示情報１：１，０，０（ｂｉｔｍａｐシーケンス）を含む端末側レート割当てリソース組合せ指示情報を配置することと、を含み、
ｂｉｔｍａｐシーケンスの各ビットは、対応するレート割当てリソース指示情報が対応するレート割当てリソース組合せ情報に含まれているか否かを指示するものであり、例えば、レート割当てリソース組合せ指示情報０は、レート割当てリソース指示情報１とレート割当てリソース指示情報２が、レート割当てリソース組合せ指示情報０に含まれる、即ち、端末がレート割当てリソース指示情報１とレート割当てリソース指示情報２によりレート割当てをすることを表す。レート割当てリソース組合せ指示情報１は、レート割当てリソース指示情報０がレート割当てリソース組合せ指示情報１に含まれている、即ち、端末がレート割当てリソース指示情報０によりレート割当てをすることを表す。
上記好適な実施例によると、下りデータレート割当て方法及び装置を提供するＵＥがＤＣＩ  Ｆｏｒｍａｔとプリセットした対応関係により、当該ＤＣＩ  Ｆｏｒｍａｔに対応する、レート割当て用のレート割当てリソース情報を確定し、レート割当てリソース情報により、下りデータに対してレート割当て操作を行うことで、関連技術において、データレート割当てが正確ではない課題を解決し、下りデータレート割当ての正確性を高めることができる。
【０１５６】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。また、場合によって、ここと違う順番で示されたまたは記載されたステータスを実行してもよい。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【０１５７】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2015527017.tif 000018
【図２】
2015527017.tif 000019
【図３】
2015527017.tif 000020
【図４】
2015527017.tif 000021
【図５】
2015527017.tif 000022
【図６】
2015527017.tif 000023
【図７】
2015527017.tif 000024
【図８】
2015527017.tif 000025
【国際調査報告】
2015527017.tif 000026
2015527017.tif 000027
2015527017.tif 000028
2015527017.tif 000029